(57)【要約】多層記録型の情報記録媒体において、ＣＬＶ方式を採用しつつ高精度のトラッキングサーボを行う。ＣＬＶ方式の情報記録媒体（１１）は、予めトラック（ＴＲ）が形成されたガイド層（１２）と、該ガイド層上に積層された複数の記録層（１３）とを備える。トラックには、ガイド用のガイド情報を担持する物理構造を夫々有する複数のガイド領域（２２）が、トラック方向に予め設定された所定距離以下の配置間隔にて離散的に、且つ径方向に相隣接する複数のトラックに渡って該複数のトラック間でずらされて、配置されている。
2011125158.tif 000002
【特許請求の範囲】
【請求項１】
ＣＬＶ方式の情報記録媒体であって、
予めトラックが形成されたガイド層と、
該ガイド層上に積層された複数の記録層と
を備え、
前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、
前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置されている
ことを特徴とする情報記録媒体。
【請求項２】
前記複数のスロットは、前記トラック方向の長さが相互に等しく、前記トラック方向に隙間無く配列されていることを特徴とする請求項１に記載の情報記録媒体。
【請求項３】
前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持することを特徴とする請求項１に記載の情報記録媒体。
【請求項４】
前記複数のガイド領域は、前記トラック方向に(i)鏡面又はストレートグルーブ若しくはストレートランド構造を有する緩衝領域並びに(ii)鏡面又はストレートグルーブ若しくはストレートランド構造を有する鏡面領域のうち少なくとも一方を、間に挟んで配置されている
ことを特徴とする請求項１に記載の情報記録媒体。
【請求項５】
前記緩衝領域は、前記トラック方向に、前記複数のガイド領域の各々における先頭部の前と最後部の後ろに夫々隣接配置されており、
前記鏡面領域は、前記トラック方向に、前記複数のガイド領域のうち一のガイド領域の最後部の後ろに隣接配置された前記緩衝領域と、前記複数のガイド領域のうち前記一のガイド領域の次の他のガイド領域の先頭部の前に隣接配置された前記緩衝領域との間に配置されている
ことを特徴とする請求項４に記載の情報記録媒体。
【請求項６】
前記物理構造は、ウォブル及びプリピット構造を含むことを特徴とする請求項１に記載の情報記録媒体。
【請求項７】
前記物理構造は、ウォブル及び一部切欠き構造を含むことを特徴とする請求項１に記載の情報記録媒体。
【請求項８】
前記ガイド領域が配置される複数のスロットは、(i)少なくとも前記記録層に対する情報記録時に前記トラックに対して照射され且つ集光される光ビームにより、前記トラック上に形成される光スポットの径と、(ii)前記トラックの前記径方向のピッチと、(iii)前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、(iv)前記スロットの前記トラック方向の長さとに基づいて、前記光スポット内に同時に含まれない複数のスロットとして選定されていることを特徴とする請求項１に記載の情報記録媒体。
【請求項９】
前記トラックは、トラッキングサーボ用のガイドトラックであり、
前記物理構造は、前記ガイド情報の少なくとも一部を構成する前記トラッキングサーボ用の信号を、発生可能であり、
前記複数のガイド領域は夫々、前記トラッキングサーボ用の信号を発生するためのサーボ用領域であり、
前記所定距離は、前記トラッキングサーボが所定の帯域で動作可能な距離に予め設定されており、
前記複数のサーボ用領域は、前記トラッキングサーボ用の光ビームの径に基づいて、前記光ビームが同時に照射されないように前記複数のトラック間でずらされて、配置されている
ことを特徴とする請求項１に記載の情報記録媒体。
【請求項１０】
前記物理構造は、前記ガイド用のガイド情報として、前記トラック方向に沿って内周から外周又は外周から内周へ向うアドレス位置を示すアドレス情報を担持することを特徴とする請求項１に記載の情報記録媒体。
【請求項１１】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得する情報取得手段と、
前記取得されたガイド情報に基づき前記トラックに対して所定の帯域でトラッキングサーボをかけるように前記光照射手段を制御するトラッキングサーボ手段と、
前記トラッキングサーボがかけられている際に、前記一の記録層に前記第２光ビームを照射し且つ集光することで、前記データを記録するように前記光照射手段を制御するデータ記録制御手段と
を備えることを特徴とする情報記録装置。
【請求項１２】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたガイド情報を取得する情報取得工程と、
前記取得されたガイド情報に基づき前記トラックに対して所定の帯域でトラッキングサーボをかけるように前記光照射手段を制御するトラッキングサーボ工程と、
前記トラッキングサーボがかけられている際に、前記一の記録層に前記第２光ビームを照射し且つ集光することで、前記データを記録するように前記光照射手段を制御するデータ記録制御工程と
を備えることを特徴とする情報記録方法。
【請求項１３】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得する情報取得手段と、
前記取得されたガイド情報に基づき前記トラックに対して所定の帯域でトラッキングサーボをかけるように前記光照射手段を制御するトラッキングサーボ手段と、
前記トラッキングサーボがかけられている際に、前記一の記録層からの前記照射され且つ集光された第２光ビームに基づく第２光を受光し、該受光された第２光に基づき前記データを取得するデータ取得手段と
を備えることを特徴とする情報再生装置。
【請求項１４】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記担持されたガイド情報を取得する情報取得工程と、
前記取得されたガイド情報に基づき前記トラックに対して所定の帯域でトラッキングサーボをかけるように前記光照射手段を制御するトラッキングサーボ工程と、
前記トラッキングサーボがかけられている際に、前記一の記録層からの前記照射され且つ集光された第２光ビームに基づく第２光を受光し、該受光された第２光に基づき前記データを取得するデータ取得工程と
を備えることを特徴とする情報再生方法。
【発明の詳細な説明】
【技術分野】
【０００１】
本発明は、例えば多層型或いは多層記録型の光ディスク等の情報記録媒体、該情報記録媒体に情報を記録する記録装置及び方法、並びに該情報記録媒体から情報を再生する情報再生装置及び方法の技術分野に関する。
【背景技術】
【０００２】
この種の情報記録媒体では、予めトラックが形成された単一のガイド層上に、複数或いは多数の記録層が重ねて形成されており、ガイド層を用いて記録層における記録や再生が行われる（例えば、特許文献１から３参照）。【０００３】
具体的には、その記録時や再生時には、トラッキング用の第１光ビーム（例えばＤＶＤと同じく赤色レーザからなるガイド光ビーム或いはサーボ光ビーム）が照射され、記録層を介してガイド層に集光される。これにより、各記録層に対するトラッキングが可能となる。即ち、ガイド層に対するフォーカスサーボ及びガイド層に予め形成されたトラックを用いてのトラッキングサーボが可能となる。【０００４】
このようなトラッキング動作と並行して、同一の光ピックアップを用いる或いは同一の対物レンズを介するなど、第１ビームとの位置関係が固定されている若しくは既知である情報記録再生用の第２ビーム（例えば、ブルーレイと同じく青色レーザからなるメイン光ビーム）が、典型的には第１ビームに同心的に重ねられた形で照射され、記録又は再生対象となっている一の記録層に集光される。これにより、各記録層における情報の記録や再生が可能となる。即ち、各記録層に対するフォーカスサーボ及び情報の書込若しくは読取が可能となる。
【先行技術文献】
【特許文献】
【０００５】
【特許文献１】特開平４−３０１２２６号公報
【特許文献２】特開２００３−６７９３９号公報
【特許文献３】国際公開ＷＯ２００９／０３７７７３号公報
【発明の概要】
【発明が解決しようとする課題】
【０００６】
しかしながら、特許文献に開示された技術では、ガイド層を照射する第１ビームと記録層を照射する第２ビームのディスク上の各ビーム径が異なり、ガイド層に比べ記録層が、「高密度記録」となる場合、ガイド層のトラッキング精度は、相対的に大径である第１ビーム径から算出されるトラックピッチで制御され、それに基づいて記録層のトラッキングが行われる。このため、相対的に小径である第２ビーム径から算出され得るトラッキング精度より粗くなり、ついては高密度記録により隣接トラックからのクロストーク等の増加により特性劣化を招く。【０００７】
また、ガイド層のトラックピッチが記録層のトラックピッチと略等しくなる高密度記録とした時には、第１ビームはガイド層の複数本のトラック領域を一度に照射することになり、目標トラックに追従することが極めて困難になるという技術的課題がある。【０００８】
特に、ＣＬＶ（Constant Linear Velocity）方式を採用した場合、ディスク盤面上の利用効率を高くし且つ高密度記録を達成することは極めて困難である。また、ガイド層のアドレス構成方法についても開示されていない。【０００９】
本発明は、例えば上述した問題点に鑑みなされたものであり、ＣＬＶ方式を採用しつつ高精度のトラッキングサーボを可能ならしめる多層型の情報記録媒体、そのような情報記録媒体に情報を記録する記録装置及び方法、並びにそのような情報記録媒体から情報を再生する情報再生装置及び方法を提供することを課題とする。
【課題を解決するための手段】
【００１０】
本発明の情報記録媒体は上記課題を解決するために、ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置されている。【００１１】
本発明の情報記録装置は上記課題を解決するために、上述した本発明の情報記録媒体に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記担持されたガイド情報を取得する情報取得手段と、前記取得されたガイド情報に基づき前記トラックに対して所定の帯域でトラッキングサーボをかけるように前記光照射手段を制御するトラッキングサーボ手段と、前記トラッキングサーボがかけられている際に、前記一の記録層に前記第２光ビームを照射し且つ集光することで、前記データを記録するように前記光照射手段を制御するデータ記録制御手段とを備える。【００１２】
本発明の情報記録方法は上記課題を解決するために、上述した本発明の情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記担持されたガイド情報を取得する情報取得工程と、前記取得されたガイド情報に基づき前記トラックに対して所定の帯域でトラッキングサーボをかけるように前記光照射手段を制御するトラッキングサーボ工程と、前記トラッキングサーボがかけられている際に、前記一の記録層に前記第２光ビームを照射し且つ集光することで、前記データを記録するように前記光照射手段を制御するデータ記録制御工程とを備える。【００１３】
本発明の情報再生装置は上記課題を解決するために、上述した本発明の情報記録媒体から、データを再生する情報再生装置であって、前記ガイド層にトラッキング用の第１光ビームを照射し且つ集光することが可能であると共に前記複数の記録層のうち一の記録層にデータ再生用の第２光ビームを照射し且つ集光することが可能である光照射手段と、前記ガイド層からの前記照射され且つ集光された第１光ビームに基づく第１光を受光し、該受光された第１光に基づき前記担持されたガイド情報を取得する情報取得手段と、前記取得されたガイド情報に基づき前記トラックに対して所定の帯域でトラッキングサーボをかけるように前記光照射手段を制御するトラッキングサーボ手段と、前記トラッキングサーボがかけられている際に、前記一の記録層からの前記照射され且つ集光された第２光ビームに基づく第２光を受光し、該受光された第２光に基づき前記データを取得するデータ取得手段とを備える。【００１４】
本発明の情報再生方法は上記課題を解決するために、上述した本発明の情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記担持されたガイド情報を取得する情報取得工程と、前記取得されたガイド情報に基づき前記トラックに対して所定の帯域でトラッキングサーボをかけるように前記光照射手段を制御するトラッキングサーボ工程と、前記トラッキングサーボがかけられている際に、前記一の記録層からの前記照射され且つ集光された第２光ビームに基づく第２光を受光し、該受光された第２光に基づき前記データを取得するデータ取得工程とを備える。【００１５】
本発明のこのような作用及び利得は次に説明する実施の形態から明らかにされる。
【図面の簡単な説明】
【００１６】
【図１】本発明の実施例に係る、情報記録媒体の基本構成を示す模式的な斜視図である。
【図２】実施例における、ガイド用の第１ビーム及び記録（若しくは再生）用の第２ビームを集光する対物レンズと、情報記録媒体とを示す、模式的な部分拡大断面図である。
【図３】実施例における、ガイド層の一部拡大斜視図である。
【図４】実施例の比較例における、図３と同趣旨の一部拡大斜視図である。
【図５】実施例における、プリピットの一例を有する場合の、図２と同趣旨の一部拡大斜視図である。
【図６】実施例における、プリピットの他の例を有する場合の、図２と同趣旨の一部拡大斜視図である。
【図７】低密度記録用のトラックを示す、模式的な部分拡大平面図である。
【図８】高密度記録用のトラックを示す、模式的な部分拡大平面図である。
【図９】実施例における、ガイド層に設けられる、三つの領域が配置されているトラックの構成、及び三つの領域の各々内の構造を示す概念図である。
【図１０】実施例における、ガイド領域にトラッキング信号を発生可能なように、プリフォーマットされたデータの構成例を示す概念図である。
【図１１】実施例における、各スロット内に記録される各種データの構成例を示す概念図である。
【図１２】実施例における、スロットに適応させたグループ内に記録されるデータの構成例を示す概念図である。
【図１３】実施例における、情報記録再生装置のブロック図である。
【図１４】実施例における、情報記録再生方法のフローチャートである。
【図１５】実施例における、新規ディスクに対する記録方法のフローチャートである。
【図１６】実施例における、新規ディスクに対する再生方法の一例を示すフローチャートである。
【図１７】実施例における、新規ディスクに対する再生方法の他の例を示すフローチャートである。
【図１８】実施例の情報記録再生装置のうち、トラッキングサーボを行う回路部分のブロック図である。
【図１９】図１８の回路部分に含まれるサンプラー（Sampler）のトラッキングエラーをサンプルする動作を示す特性図である
【図２０】実施例において、トラックに沿って相隣接する二つのガイド領域の配置間隔を規定する、位相回りを示す特性図である。
【図２１】実施例において、トラックに沿って相隣接する二つのガイド領域の配置間隔を規定する、トラッキングサーボにおけるゲインの周波数特性を示す特性図である。
【図２２】一の変形例における、図１０と同趣旨の概念図である。
【図２３】実施例における、ガイド領域の構造を示す模式的な拡大平面図である。
【図２４】他の変形例における、ガイド領域内の構造を示す模式的な拡大平面図である。
【図２５】他の変形例における、ガイド領域内の構造を示す模式的な拡大平面図である。
【図２６】他の変形例における、ガイド領域内の構造を示す模式的な拡大平面図である。
【図２７】トラック形成方法についての変形例となる、ガイド層に設けられる三つの領域の各種組合を示す表である。
【図２８】他の変形例における、光ディスクの図１と同趣旨の模式的な斜視図である。
【発明を実施するための形態】
【００１７】
以下、発明を実施するための最良の形態として、駆動装置に係る実施形態について順に説明する。
（情報記録媒体）
【００１８】
＜１＞
本実施形態の情報記録媒体は上記課題を解決するために、ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている。
【００１９】
しかも、前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置されている。
【００２０】
本実施形態の情報記録媒体によれば、典型的には、ガイド層に設けられたトラックをガイド用或いはトラッキング用に利用することで、該ガイド層上又は下に積層されている複数の記録層のうちの所望の記録層に対し、該トラックに沿って、ＣＬＶ（Constant Linear Velocity）方式にて光学的に情報を記録することが可能とされる。更に、同じくトラックをガイド用に利用することで又は利用することなく、記録済とされた所望の記録層から、ＣＬＶ方式にて光学的に情報を再生することが可能とされる。
【００２１】
ここに「ガイド層」とは、典型的には少なくとも各記録層への情報記録時或いは書込時に、各記録層に係る記録面内の位置（即ち、記録面に沿った、径方向の位置及びトラック方向の位置）を、ガイド用或いはトラッキング用の第１光ビーム（以下単に「第１光ビーム」と呼ぶ）により、ガイドする又は案内するための層を意味する。「ガイド層」は、典型的には、トラッキングエラー信号（或いはその元となるウォブル信号やプリピット信号など）が発生可能に構成されたトラックが予め物理的に作り込まれている層である。
【００２２】
またガイド層に形成される「トラック」とは、少なくとも情報記録時に、第１光ビームがなぞられる或いは追従される軌道を意味し、典型的には、例えば、ウォブリングされたり、これに加えて又は代えてピットが形成されたグルーブトラック又はランドトラックとして、ガイド層内或いはガイド層上に予め物理的に作り込まれている。なお、記録層において記録後に形成される情報トラックは、当初はトラックが何も無かった記録面内にて、記録された情報ピットの並び或いは配列として構築される点で、ここにいう予め作りこまれた「トラック」とは、明確に区別される。
【００２３】
このようにガイドされる、ガイド層内のトラック上の第１光ビームの各位置に対応する、所望の記録層における、記録後に情報トラック上をなす各位置にて、典型的には、情報記録用或いは情報書込用の第２光ビーム（以下単に「第２光ビーム」と呼ぶ）による情報記録が行われる。
【００２４】
なお、ガイド層は、典型的には、全記録層に対して一層だけ設けられていれば足りるが、例えば二層など複数備えられて、各々が適宜に用いられる或いは役割分担される構成でもかまわない。いずれにせよ、ガイド層と複数の記録層とは、相互に別層として設けられる。
【００２５】
複数の記録層は、例えば１６層など、各々に独立して情報を記録可能更に再生可能となるように構成される。複数の記録層は夫々、未記録状態では、例えばストレートグルーブ若しくはストレートランド又は鏡面など、なるべく単純な構造を持つのが好ましい。複数の記録層の相互間の位置合わせや、ガイド層との間での位置あわせが殆ど又は実践上全く不要であるのが、製造上好ましいからである。記録層の構造は、光ビームの照射側から見て、奥側の記録層或いはガイド層に対しても、光ビームが到達するように、各々の記録層における透過率及び反射率が所定範囲に収まるよう設定された各種記録方式で記録可能に構成されている。
【００２６】
より具体的には、情報記録時には、例えば、ガイド層に存在するトラックに対し、第１光ビーム（例えば、比較的大径の光スポットを形成する赤色レーザ）が集光された場合に得られる反射光から、トラッキングエラー信号（或いはその元となるウォブル信号及びこれに加えてプリピット信号）が検出可能とされる。このトラッキングエラー信号に従って、ガイド動作の一種としてトラッキング或いはトラッキングサーボが実行可能とされる。このトラッキングが行われている或いはトラッキングサーボが閉じられている状態で、トラックの上層又は下層側における所望の記録層に対し、第２光ビーム（例えば、比較的小径の光スポットを形成する青色レーザ）が集光されることで、情報の記録が行われる。言い換えれば、ガイド層に予め形成されたトラックの位置を基準として、予めトラック或いはトラックの如きが何ら存在していない（例えば、鏡面状態）他の層である所望の記録層における情報を記録する際の面内位置決めが行われる。（なお、フォーカスについては集光する際に別途行われている。）
ここで、光ピックアップ等における、第１及び第２光ビームを照射する光学系が固定されていれば、それらにより形成される光スポットの位置関係も固定されている。このため、第１光ビームの位置（即ち、それにより形成されるトラック上の光スポットの位置）についてトラッキングサーボ等のガイド動作を実行することは、第２光ビーム（即ち、それにより形成される記録面内における光スポットの位置）についても、再現性を持ってガイド動作を行っていることになる。言い換えれば、予め存在するトラック上における第１光ビームを利用して、予めトラックが存在しない記録面内における第２光ビームを、トラッキング或いはガイド可能となる。
【００２７】
このような記録方式を採用すれば、相互に積層形成される、ガイド層及び各記録層間で、或いは複数の記録層の相互間で、トラック相互間の記録面に沿った方向についての位置合わせを行う必要が元より殆ど又は実践上全くない。これは、製造上極めて有利である。
【００２８】
他方、情報再生の際には、同様にトラックはガイド用に利用されてもよいし、或いは、この情報再生の際には、既に記録層に書き込まれた情報を追従することで、ガイド層をガイド用に（典型的にはトラッキング用に）利用することなく、記録後の情報トラックに対してトラッキング動作を行うことで再生することも可能である。
【００２９】
ガイド層に形成されたトラックには、ガイド情報を担持する物理構造を夫々有する複数のガイド領域が、配置されている。ここに「ガイド情報」とは、第１光ビームをガイド若しくは案内する又は追従させるための情報であり、典型的には、光学的にトラッキングエラー信号（或いはその元となるウォブル信号及びこれに加えてプリピット信号）を発生させるための情報である。更に、ガイド情報は、トラッキング用の光ビームを位置決めするためのマークとなるという意味から「マーク情報」と言い換えることも出来る。
【００３０】
このようなガイド情報を担持する物理構造は、典型的には、グルーブトラック又はランドトラックの側壁又は内部若しくは外部に造作されたウォブル及びプリピット構造（即ちランドプリピット、グルーブプリピットなど）、ウォブル及び一部切欠き構造、グルーブ及びランドがない面（例えば、鏡面）上におけるプリピットの配列や連なりなどによって、実現される。ここに「物理構造」とは、論理構造、単なるデータにより構築される概念的な或いは仮想的な構造とは異なり、物理的に実在する構造を意味する。物理構造は、当該情報記録媒体の完成時に既にガイド上に造り込まれている。
【００３１】
ここで本願発明者による研究の結果、例えば所定の帯域でトラッキングを行うなどの、ガイド動作を実行可能とするといった特定目的は、いずれかのトラックにてガイド情報を検出可能とする必要があるにせよ、従前の或いは既存の光ディスクにおけるトラックの如く、当該ガイド情報を検出するための特殊な仕掛けを、トラック方向に連続して形成しなくても、達成可能であることが判明している。即ち、ガイド情報が検出される時間間隔に相当するガイド情報の配置間隔（即ち、配置ピッチ）を、ガイド動作を可能ならしめるのに最低限必要な距離よりも小さく（例えばトラッキングサーボが所定の帯域で動作可能な最長距離以下などに）設定しておく限りにおいて、トラックに沿った全域にこのような特殊な仕掛けを施しておかなくても、上記目的は達成可能であることが判明している。同時に、相隣接する複数のトラックについて言えば、径方向に揃った複数の位置或いは領域の各々に、このような特殊な仕掛けを並べておかなくても、即ち、径方向に一列に規則正しくこのような特殊な仕掛けを並べて（或いは整列させて）おかなくても、上記目的は達成可能であることが判明している。
【００３２】
そこで本発明では、複数のガイド領域は、螺旋状又は同心円状であるトラックに沿ったトラック方向（言い換えれば、トラックの接線方向）に、相互に、予め設定された所定距離又はそれ未満の距離を、配置間隔（即ち、配置ピッチ）として離散的に配置されている。ここに「所定距離」とは、典型的には、所定の帯域でトラッキング或いはトラッキング動作である、ガイド或いはガイド動作が機能し得る最長の距離（例えば、トラッキング動作を所定の帯域で安定的に実行可能ならしめる頻度にてトラッキング信号を連続的或いは継続的に発生し得る最長の距離）よりも若干のマージンを持って短い距離である。また「所定の帯域」とは、情報記録時に用いられる帯域との関係で定まる、トラッキング動作が行われる、データフォーマット或いはデータ規格に対して固有の帯域を意味する。
【００３３】
このような所定距離は、予め実験的、経験的に又はシミュレーション等により、固有の情報記録媒体におけるガイド層に対して、ガイド動作（典型的には、所定の帯域でのトラッキング動作）が機能する限界の距離を求めることと、適当なマージンを決定することで、設定されればよい。仮に、ガイド領域が、所定距離よりも長い配置間隔（即ち、配置ピッチ）で、離散的に配置されていたとすれば、例えば所定の帯域で安定したトラッキングサーボを可能ならしめるだけの頻度にてトラッキングエラー信号を生成できないなど、安定したガイド動作を実行できない。
【００３４】
なお「離散的に」とは、各記録層に係る記録面上で平面的に見て、相互に連続しておらず、相互間に、鏡面、緩衝領域、ガイド領域以外の領域など他の平面領域が介在している意味である。
【００３５】
複数のガイド領域は、トラックに交わる径方向（即ち、半径方向）に、相隣接する複数のトラックに渡って、該複数のトラック間でずらされて、配置されている。ここに「複数のトラックに渡って」とは、各記録層に係る記録面上で平面的に見て、相互に隣接する二本又は二本以上のトラック及びそれらの間隙を占める領域を含めて、それらに渡って或いは跨ってという意味である。また「径方向に、複数のトラック間でずらされて」とは、径方向（即ち半径方向）について複数のトラック間が同一位相（例えば、ディスク上の角度）或いは同一位相に相当する位置（例えば、ディスク上の角度位置）にない、或いは同一半径上にないという意味である。この際、相対的に径方向について近接して並ぶ複数のガイド領域は、完全に（即ち、間に間隙を隔てて）離間している必要は無く、典型的には、情報記録時又は再生時におけるトラッキングサーボ用の光ビームが、該複数のガイド領域に同時にかからない程度に（例えば５トラックに渡って）、径方向の位相がずらされていれば足りる。或いは、光ビームにより、該複数のガイド領域から読み取り可能な信号や情報が相互から識別可能である程度にずらされていれば足りる。
【００３６】
このため、光ビームのスポットが相隣接する二つの或いは二つ以上のトラック或いはトラック部分に跨るまで（例えば５トラックに渡るまで）トラック密度を高めても、これに対応してガイド領域が上述の如くずらされている限りにおいて、トラック方向及び径方向の双方についてガイド情報が重なること（或いは他のガイド領域からの信号成分がノイズとして影響を及ぼすこと）に起因して、即ち検出されるガイド情報のクロストークにより、ガイド情報が検出不能となってしまう事態が回避可能となる。このようにトラック密度を高めても、ガイド或いはトラッキングが可能となり、ガイド層としての、典型的にはトラッキング信号を発生する本来の機能は保証される。
【００３７】
従って、第１光ビームがガイド層における相隣接する複数のトラックに同時に照射される程度に、第１光ビームの径に対して、トラックピッチを狭めつつも、例えば第１光ビームに起因する反射光等から得られるプッシュプル信号をサンプリングするなどして、トラッキングエラー信号或いはその元となるウォブル信号及びこれに加えてプリピット信号等のガイド情報を、安定して連続的に発生させることが可能となる。即ち、所定の帯域での安定したトラッキング動作等のガイド動作が実行可能となる。或いは、ガイド情報に、制御用の情報（例えば、サーボマークやアドレス情報など）を含めた場合に、これを第１光ビームに起因する反射光等に基づく情報として、確実に読み取ることが可能となる。即ち、安定的にプリフォーマット情報を取得可能となる。
【００３８】
これは特に、第１光ビーム（例えば、赤色レーザ）が、第２光ビーム（例えば青色レーザ）に比べてビーム径が大きい場合において、第２光ビームの相対的に小さい光スポットを有効活用して（即ち、その小ささに応じて）記録層に情報記録する際における記録密度を限界付近まで高める場合に、極めて有利に働く。即ち、記録層における記録後にトラックとなる狭ピッチの記録領域に対応する狭ピッチのトラックを、ガイド層に予め造り込んだ場合に、必然的に、そのようなトラックに対して大きくなる第１光ビームの光スポットは、複数のトラック（例えば５トラックなど多数のトラック）に渡って同時に照射されるという技術的性質を有する。このため、相対的に大きな光スポットを形成する第１光ビームを用いて、狭ピッチの記録層に対応したトラッキング動作等のガイド動作を行う必要があるからである。
【００３９】
なお、第１光ビームが、第２光ビームに比べてビーム径が小さい場合においても、或いは、これらの径が殆ど又は全く同じ場合においても、トラックのピッチに対して光ビームの径が大きい場合に適切にガイド動作を行おうとする限りにおいて、やはり、上述の如き本実施形態における独自の構成は、相応の作用効果を齎すものである。
【００４０】
このように、ガイド用のトラックについては、所定の帯域でトラッキングサーボを可能ならしめること或いはプリフォーマット情報を読み取らせることなどのガイド機能を損なわないようにしつつ、そのピッチを（例えば、記録層における記録により構築されると共に第２光ビームのビーム径に相応しい情報トラックが有することになる、狭ピッチと同程度にまで）狭ピッチにする（即ち、第１光ビームに対して不相応なまでに狭ピッチにする）ことが可能となる。
【００４１】
加えて特に、ＣＬＶ方式を採用しているので、内周側になる程、角速度が増大するが故に（言い換えれば、外周側になる程、角速度が減少するが故に）、例えばガイド層のトラックに予め記録されたガイド情報の配置関係が、半径位置に応じて任意となる。例えばＣＡＶ（Constant Angular Velocity）方式であれば可能なように、特定長の情報を複数のトラックに渡って径方向に一列に整列させるといった配置をとることは、根本的に不可能である。すると、ＣＬＶ方式にて仮に何らの対策も施さないとすれば、第１光ビームが複数トラックに渡る光スポットを形成する場合に、その光スポット内部に入るトラック部分が半径位置に応じて任意となり（即ち、いずれにせよ特定長の情報であっても径方向位置に応じてトラック方向にずれ）、ガイド情報の取得が半径位置に応じて、極めて不安定とならざるを得ない。
【００４２】
しかしながら、ガイド領域は、上述の如く意識的に或いは積極的に、径方向に複数のトラック間でずらされて配置されている。このため、径方向位置によらずに（即ち内周寄りや外周寄りを問わずに）、高密度記録を実現するための高密度のトラックピッチや記録線密度に対応して、所定の帯域でのトラッキングサーボ等のガイド動作を安定して実行可能となる。逆に言えば、ＣＬＶ方式であることを前提として、径位置に応じて、予め所定距離やずらし方を規定しておけば、ＣＬＶ方式であっても何ら問題は生じない。
【００４３】
しかも本実施形態によれば、複数のガイド領域は、複数のスロットのうち、トラック方向に相隣接しておらず且つ径方向に複数のトラックに渡って相隣接していない一部の複数のスロット内に、配置されている。典型的には、このような一部の複数のスロット内に一つずつ配置されている。
【００４４】
ここに、「スロット」とは、トラックがトラック方向に区分されてなる論理的な区画若しくは区分、又は物理的な区画若しくは区分である。スロットは、典型的には、トラック方向に隙間無く連続して配列されており且つ径方向にも隙間なく或いは相隣接して配列されている。但し、スロットは、トラック方向及び径方向の少なくとも一方については、若干の隙間をあけて配列されてもよい。言い換えれば、ガイド層にて、予めトラック方向に並べられるように作り込まれた複数のスロットにおける、配列、或いは連なりから、トラックが構築される。
【００４５】
ガイド領域は、トラック方向に相隣接しておらず且つ径方向に複数のトラックに渡って相隣接していない一部の複数のスロット内に（好ましくは一つずつ）配置されているので、複数のガイド領域から検出可能なガイド情報間におけるクロストークを確実に低減或いは無くすことが可能となる。加えて、ガイド層においては、グルーブ、ランド、プリピット等を、ガイド領域が配置されるスロット内にだけ作り込めばよく、これらをトラック全域に連続して作り込む必要は無い。しかも、スロットの存否（例えば、スロットと鏡面との相違）が物理的に明確に区別し易く、よって検出しやすいため、ガイド情報の読み取りが容易にして安定的に実行可能となる。これは、実践上大変有利である。
【００４６】
他方で、記録層における複数のスロットについては、ガイド層の場合と異なり、トラック方向及び径方向の両方についての連続する全てのスロット内に、コンテンツデータ、ユーザデータなどを記録するための個々の記録領域が配置されてよい。記録層におけるいずれのスロットについても、ガイド層におけるガイド領域が配置されたスロットと対応がとれるので、記録層に対して間接的に、所定の帯域におけるトラッキングサーボを実行可能となる。言い換えれば、記録層については、第２光ビームにより形成される光スポットによって、読み取り可能な限界までの高密度にて、全てのスロット内に情報を記録可能となる。
【００４７】
以上の結果、ＣＬＶ方式を採用しつつ、記録層において記録若しくは再生できるトラックピッチや記録線密度（例えば、線記録密度、ピットピッチ或いは情報転送速度（即ち、記録線密度×移動速度））を、多層型の情報記録媒体における本来の目的である「高密度記録」と言える程度にまで高めることが可能となる。
【００４８】
＜２＞
本実施形態の情報記録媒体の一の態様では、前記複数のスロットは、前記トラック方向の長さが相互に等しく、前記トラック方向に隙間無く配列されている。
【００４９】
この態様によれば、ガイド層及び記録層でスロットを配列することや、特にガイド層におけるいずれのスロット内にガイド領域を配置してよく、いずれのスロット内にガイド領域を配置していけないかを或いはそのような配置規則を、比較的容易にして決められる。
【００５０】
＜３＞
本実施形態の情報記録媒体の他の態様では、前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持してもよい。
【００５１】
このように構成すれば、ガイド層におけるスロットのトラック方向の長さと、各記録層における、記録されることになるデータ（例えば、ユーザデータ、コンテンツデータなど）のフォーマットの構成単位のトラック方向の長さとが、所定の整数比となる。ここに「フォーマットの構成単位」とは、例えば、ＥＣＣ（Error Correction Code）ブロック、ＡＤＩＰ（Address In Pre-groove）単位等のエラー訂正の単位など、データフォーマットに準拠しての構成単位を意味し、典型的には、情報記録時又は情報再生時に、所定種類の処理を行う際に扱われる単位となる。
【００５２】
このため、トラッキングエラー信号等のガイド情報の発生頻度と、トラックに対応する記録面内位置における記録層に情報を記録する周期とを、半径位置に寄らずに或いはトラック位置に寄らずに、一定の関係に維持することが出来る。特にＣＬＶ方式なので、径位置によって、角速度が変化するにも拘らず、任意の径位置にて、安定したガイド動作が実行可能となる。しかも、そのためには、予め作り込む際に、スロットのトラック方向の長さを、データのフォーマットの構成単位の長さに応じて規定すればよい。
【００５３】
このように、スロットを採用することで、記録層に対するトラッキング動作などのガイド動作を、比較的容易にして、極めて安定的に実行可能となる。
【００５４】
なお、前記物理構造は（上述の「スロット」という構成を採用することなく）、前記ガイド情報の前記トラック方向の長さと、前記複数の記録層に夫々記録されるデータの最小構成単位の前記トラック方向の長さとが、所定の整数比となるように、前記ガイド情報を担持するように構成してもよい。このように構成すれば、ガイド層におけるガイド情報のトラック方向の長さと、各記録層における、記録される又は記録されることになるデータ（例えば、ユーザデータ、コンテンツデータなど）の最小構成単位のトラック方向の長さとが、所定の整数比となる。このため、トラッキングエラー信号等のガイド情報の発生頻度と、トラックに対応する記録面内位置における記録層に情報を記録する周期とを、半径位置に寄らずに或いはトラック位置に寄らずに、一定の関係に維持することが出来る。特にＣＬＶ方式なので、径位置によって、角速度が変化するにも拘らず、任意の径位置にて、安定したガイド動作が実行可能となる。
【００５５】
＜４＞
本実施形態の情報記録媒体の他の態様では、前記複数のガイド領域は、前記トラック方向に(i)鏡面又はストレートグルーブ若しくはストレートランド構造を有する緩衝領域並びに(ii)鏡面又はストレートグルーブ若しくはストレートランド構造を有する鏡面領域のうち少なくとも一方を、間に挟んで配置されている。
【００５６】
この態様によれば、ガイド層では、トラックに沿って、緩衝領域、ガイド領域、及び鏡面領域が、適宜に順番に並べられる構造が予め構築される。ここに「鏡面」とは、特に情報が埋め込まれてないプレーンな素面を意味し、ガイド層にて光反射率が最も高い面となる。「ストレートグルーブ若しくはストレートランド構造」とは、ウォブルやピットなどが形成されていない単なる真っ直ぐな溝（グルーブ）又は溝と溝との間にある土手（ランド）を意味する。なお、グルーブとランドとは、相対的な凹凸であり、第１及び第２光ビームが照射される方向から見て、どちらが凹でありどちらが凸であっても構わない。例えば、情報記録媒体を構成する本体基板を基準に凹となるのがグルーブであり、凸となるのがランドである。この場合、第１及び第２光ビームが照射される方向から見て、グルーブが凸となり且つランドが凹となったりする。
【００５７】
＜５＞
この態様では、前記緩衝領域は、前記トラック方向に、前記複数のガイド領域の各々における先頭部の前と最後部の後ろに夫々隣接配置されており、前記鏡面領域は、前記トラック方向に、前記複数のガイド領域のうち一のガイド領域の最後部の後ろに隣接配置された前記緩衝領域と、前記複数のガイド領域のうち前記一のガイド領域の次の他のガイド領域の先頭部の前に隣接配置された前記緩衝領域との間に配置されてよい。
【００５８】
このように構成すれば、トラック方向における各ガイド領域の前後に緩衝領域が設けられており、言わば、「緩衝領域付のガイド領域」が構築される。更に、それらの間に、鏡面領域が、配置されているので、トラックに沿ってガイド領域を探し出すのが容易となり、安定して確実にガイド情報を検出可能となる。これにより、安定したガイド動作が実行可能となる。
【００５９】
なお、一のガイド領域が配置されたのと同一スロット内に、該一のガイド領域の先頭部の前に隣接配置された緩衝領域も配置されてよい。又は、これに代えて若しくは加えて、同一スロット内に、該一のガイド領域の最後部の後ろに隣接配置された緩衝領域も配置されてよい。
【００６０】
＜６＞
本実施形態の情報記録媒体の他の態様では、前記物理構造は、ウォブル及びプリピット構造を含む。
【００６１】
この態様によれば、複数のガイド領域は、ガイド用のガイド情報を担持する、ウォブル及びプリピット構造を含む物理構造を夫々有する。ここに「ウォブル及びプリピット構造」とは、ウォブル或いはウォブリングされたグルーブ又はランドトラックが形成されていると共に、そのグルーブ内又はランド内にプリピットが形成されている構造を意味する。更に「プリピット」とは、グルーブ内若しくは上、又はランド上若しくは内におけるトラック上に、グルーブ幅又はランド幅よりも狭くなるように形成された凸状又は凹状のピット或いは位相ピットを意味する。言い換えれば、プリピットは、ランドプリピットでも、グルーブプリピットであってもよい。
【００６２】
このように、トラックは、ウォブリングされ且つピットが形成されたグルーブトラック又はランドトラックとして、ガイド層に予め構築される。よって、その構築は、比較的容易であり、最終的には、信頼性及び安定性の高いガイド動作が可能とされる。
【００６３】
＜７＞
本実施形態の情報記録媒体の他の態様では、前記物理構造は、ウォブル及び一部切欠き構造を含む。
【００６４】
この態様によれば、複数のガイド領域は、ガイド用のガイド情報を担持する、ウォブル及び一部切欠き構造を含む物理構造を夫々有する。ここに「ウォブル及び一部切欠き構造」とは、ウォブル或いはウォブリングされたグルーブ又はランドトラックが形成されていると共に、そのグルーブ内又はランド内にグルーブ幅又はランド幅と同等の切欠きが施されている構造を意味する。相隣接するグルーブ間に存在するランドの一部が切欠きされている場合、相隣接するランド間に存在するグルーブの一部が切欠きされている場合、及びそれらを組み合わせた場合が考えられる。言い換えれば、物理構造は、一部切欠きという広義のプリピットを含んで構成されてもよく、更に、この広義のプリピットは、広義のランドプリピットでも、広義のグルーブプリピットであってもよい。更に、そのような構造に加えて、前述した狭義のプリピット（即ち、一部切欠き構造を伴わないプリピット）を併せて形成することも可能である。
【００６５】
このように、トラックは、ウォブリングされ且つランド又はグルーブの一部が切欠きされたグルーブトラック又はランドトラックとして、ガイド層に予め構築される。よって、その構築は、比較的容易であり、最終的には、信頼性及び安定性の高いガイド動作が可能とされる。
【００６６】
＜８＞
本実施形態の情報記録媒体の他の態様では、前記ガイド領域が配置される複数のスロットは、(i)少なくとも前記記録層に対する情報記録時に前記トラックに対して照射され且つ集光される光ビームにより、前記トラック上に形成される光スポットの径と、(ii)前記トラックの前記径方向のピッチと、(iii)前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、(iv)前記スロットの前記トラック方向の長さとに基づいて、前記光スポット内に同時に含まれない複数のスロットとして選定されている。
【００６７】
この態様によれば、光スポット内に同時に含まれない複数のスロットを、光スポットの径、トラックのピッチと、上記変位量と、スロットのトラック方向の長さとから、算術により決定できる。ここに「含まれない」とは、狭義には、ガイド層の主面、即ち記録層の記録面上で平面的に見て、端や隅などの一部についても二つのスロットが光スポット内に同時に含まれない意味である。広義には、ガイド情報をクロストークなしで検出可能である限度において若干の部分について二つのスロットが光スポット内に同時に含まれてもよい意味である。このように選定されたスロット内にのみガイド領域を配置すれば、比較的容易にして確実にガイド情報間でのクロストークの発生を回避し得る、スロットの配置を有するガイド領域を実現できる。
【００６８】
＜９＞
本実施形態の情報記録媒体の他の態様では、前記トラックは、トラッキングサーボ用のガイドトラックであり、前記物理構造は、前記ガイド情報の少なくとも一部を構成する前記トラッキングサーボ用の信号を、発生可能であり、前記複数のガイド領域は夫々、前記トラッキングサーボ用の信号を発生するためのサーボ用領域であり、前記所定距離は、前記トラッキングサーボが所定の帯域で動作可能な距離に予め設定されており、前記複数のサーボ用領域は、前記トラッキングサーボ用の光ビームの径に基づいて、前記光ビームが同時に照射されないように前記複数のトラック間でずらされて、配置されている。
【００６９】
この態様によれば、ガイド層は、少なくとも各記録層への情報記録時に、各記録層に係る記録面内の位置を、第１光ビームによりトラッキングするために、トラッキングエラー信号等が発生可能に構成されたトラックが作り込まれている層である。
【００７０】
より具体的には、情報記録時には、ガイド層に存在するトラックに対し、第１光ビームが集光された場合に得られる反射光から、トラッキングエラー信号等が検出可能とされる。このトラッキングエラー信号に従って、ガイド動作の一種としてトラッキング或いはトラッキングサーボが実行可能とされる。
【００７１】
ここで本実施形態では特に、複数のサーボ用領域は、トラック方向に、予め設定されたトラッキングサーボが所定の帯域で動作可能な距離以内だけ相互から離間して、配置されている。即ち、トラック方向に相前後する二つのサーボ用領域間は、トラッキング動作を安定的に実行可能ならしめる頻度にて、サーボ用領域からトラッキング信号を連続的或いは継続的に発生し得る最長の距離以内にて、離散的に配置されている。
【００７２】
しかも、複数のサーボ用領域は、トラッキングサーボ用の第１光ビームの径に基づいて、この光ビームが同時に照射されないように複数のトラック間でずらされて、配置されている。
【００７３】
このため、第１光ビームのスポットが相隣接する二つの或いは二つ以上のトラック部分に跨るまでトラック密度を高めても、これに対応してサーボ用領域が上述の如くずらされている限りにおいて、トラック方向及び径方向の双方についてトラッキングエラー信号（或いはその元となるウォブル信号）が重なること（或いは他のサーボ用領域からのトラッキングエラー信号の成分がクロストークのノイズとして影響を及ぼすこと）に起因して、トラッキングエラー信号が検出不能となってしまう事態が回避可能となる。即ち、このようにトラック密度を高めても、トラッキングが可能となり、ガイド層としての、トラッキング信号を発生する本来の機能は保証される。
【００７４】
従って、トラックピッチを狭めつつも、例えば第１光ビームに起因する反射光等から得られるプッシュプル信号をサンプリングするなどして、或いは、位相差法（ＤＰＤ）により位相差信号をサンプリングするなどして、トラッキングエラー信号を、安定して連続的に発生させることが可能となる。即ち、安定したトラッキング動作等のガイド動作が実行可能となる。
【００７５】
＜１０＞
本実施形態の情報記録媒体の他の態様では、前記物理構造は、前記ガイド用のガイド情報として、前記トラック方向に沿って内周から外周又は外周から内周へ向うアドレス位置を示すアドレス情報を担持する。
【００７６】
この態様によれば、単一又は複数のガイド層におけるガイド領域が有する物理構造は、ガイド情報として、トラック方向に沿って内周から外周又は外周から内周へ向うアドレス位置を示すアドレス情報を担持する。このため、ガイド層により、例えばトラッキングエラー信号の発生によるトラッキングという一つのガイド機能のみならず、これに代えて又は加えて、アドレス情報の提供によるガイド機能が発揮される。ガイド層に予め形成されたトラックからアドレス情報まで取得できれば、トラックによりガイドされつつ記録層に情報を記録する作業が容易にでき、記録作業の信頼性及び安定性を高められる。
（情報記録装置）
【００７７】
＜１１＞
本実施形態の情報記録装置は上記課題を解決するために、上述した実施形態の情報記録媒体（但し、その各種態様を含む）に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記担持されたガイド情報を取得する情報取得手段と、前記取得されたガイド情報に基づき前記トラックに対して所定の帯域でトラッキングサーボをかけるように前記光照射手段を制御するトラッキングサーボ手段と、前記トラッキングサーボがかけられている際に、前記一の記録層に前記第２光ビームを照射し且つ集光することで、前記データを記録するように前記光照射手段を制御するデータ記録制御手段とを備える。
【００７８】
本実施形態の情報記録装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【００７９】
すると、第１光ビームに基づく、ガイド層からの反射光、散乱光、屈折光、透過光等である第１光が、受光手段により、受光される。ここに受光手段は例えば、光照射手段と一体形成され対物レンズ等の光学系を少なくとも部分的に共有する、二分割或いは四分割のＣＣＤ（Charged Coupled Device）等のフォトディテクタ或いは受光素子を含んで構成される。受光手段は例えば、プリズムやダイクロイックミラー、ダイクロイックプリズム等を経由して、第１光を、第２光並びに第１及び第２光ビームと途中から異なる光路にて、受光するように構成される。
【００８０】
続いて、この受光された第１光に基づき、ガイド領域の物理構造により担持されたガイド情報が、例えばプロセッサ、演算回路、論理回路等を含んでなる、情報取得手段により取得される。
【００８１】
続いて、この取得されたガイド情報に基づき、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御される。例えば、光照射手段における、トラッキング制御用のアクチュエータが、フィードバック制御或いはフィードフォーワード制御により制御され、第１光ビームにより形成される光ビームが、トラック上に追従される。この際特に、所定の帯域でトラッキングサーボをかけるためには、トラックに沿った全てのスロット内にガイド情報を発生可能なガイド領域が配置されている必要は無い。即ち、ガイド領域を含むスロットは、所定の帯域に応じて、トラック方向及び半径方向の双方について離散的に、配置されれば足りる。
【００８２】
このように所定の帯域でトラッキングサーボがかけられている或いはトラッキングサーボが閉じられた状態で、例えばプロセッサ等のデータ記録制御手段による制御下で、記録すべき情報に対応して変調される第２光ビームが、光照射手段により、照射され且つ集光される。第２光ビームは、情報記録の高密度記録を狙って、前述したように例えば青色レーザ光ビームの如くスポット径が相対的に小さい光ビームであってよい。記録情報の高密度化を図るという観点からは、第２光ビームは、より細い光束であることが望ましい。
【００８３】
すると、所望の記録層において、ガイド層におけるトラックに対応する情報トラックとなる領域に、データが順次記録されることになる。この際、記録層へのデータの記録を、例えばスロットの整数倍など、スロットに対応する単位で行うようにすれば、記録動作が簡単且つ安定したものとなる。
【００８４】
このように、上述した実施形態の情報記録媒体における記録層に対し好適に、例えばコンテンツ情報、ユーザ情報等の記録すべき情報を、高密度にて記録可能となる。
（情報記録方法）
【００８５】
＜１２＞
本実施形態の情報記録方法は上記課題を解決するために、上述した実施形態の情報記録媒体（但し、その各種態様を含む）に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記担持されたガイド情報を取得する情報取得工程と、前記取得されたガイド情報に基づき前記トラックに対して所定の帯域でトラッキングサーボをかけるように前記光照射手段を制御するトラッキングサーボ工程と、前記トラッキングサーボがかけられている際に、前記一の記録層に前記第２光ビームを照射し且つ集光することで、前記データを記録するように前記光照射手段を制御するデータ記録制御工程とを備える。
【００８６】
本実施形態の情報記録方法によれば、上述した実施形態の情報記録装置の場合と同様に作用し、最終的には、上述した実施形態の情報記録媒体における記録層に対し好適に、例えばコンテンツ情報、ユーザ情報等の記録すべき情報を、高密度にて記録可能となる。
（情報再生装置）
【００８７】
＜１３＞
本実施形態の情報再生装置は上記課題を解決するために、上述した実施形態の情報記録媒体（但し、その各種態様を含む）から、データを再生する情報再生装置であって、前記ガイド層にトラッキング用の第１光ビームを照射し且つ集光することが可能であると共に前記複数の記録層のうち一の記録層にデータ再生用の第２光ビームを照射し且つ集光することが可能である光照射手段と、前記ガイド層からの前記照射され且つ集光された第１光ビームに基づく第１光を受光し、該受光された第１光に基づき前記担持されたガイド情報を取得する情報取得手段と、前記取得されたガイド情報に基づき前記トラックに対して所定の帯域でトラッキングサーボをかけるように前記光照射手段を制御するトラッキングサーボ手段と、前記トラッキングサーボがかけられている際に、前記一の記録層からの前記照射され且つ集光された第２光ビームに基づく第２光を受光し、該受光された第２光に基づき前記データを取得するデータ取得手段とを備える。
【００８８】
本実施形態の情報再生装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【００８９】
すると、第１光ビームに基づく、ガイド層からの反射光、散乱光、屈折光、透過光等である第１光が、受光手段により、受光される。
【００９０】
続いて、この受光された第１光に基づき、ガイド領域の物理構造により担持されたガイド情報が、例えばプロセッサ、演算回路、論理回路等を含んでなる、情報取得手段により取得される。
【００９１】
続いて、この取得されたガイド情報に基づき、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御される。この際特に、所定の帯域でトラッキングサーボをかけるためには、トラックに沿った全てのスロット内にガイド情報を発生可能なガイド領域が配置されている必要は無い。即ち、ガイド領域を含むスロットは、所定の帯域に応じて、トラック方向及び半径方向の双方について離散的に、配置されれば足りる。
【００９２】
このように所定の帯域でトラッキングサーボがかけられている或いはトラッキングサーボが閉じられた状態で、例えばプロセッサ等のデータ取得手段による制御下で、第２光ビームが、光照射手段により、所望の記録層に照射され且つ集光される。第２光ビームは、情報記録の高密度再生を狙って、前述したように例えば青色レーザ光ビームの如くスポット径が相対的に小さい光ビームであってよい。
【００９３】
すると、所望の記録層において、記録済情報が再生されることになる。この際、記録時における記録層へのデータの記録を、例えばスロットの整数倍など、スロットに対応する単位で行うようにしておけば、再生動作が簡単且つ安定したものとなる。
【００９４】
このように、上述した実施形態の情報記録媒体における記録層に対から好適に、例えばコンテンツ情報、ユーザ情報等の記録済情報を、高密度にて再生可能となる。
【００９５】
なお、ガイド層によるトラッキングを利用することなく、即ち第１光ビームを利用することなく、専ら第２光ビームにより、記録済の記録情報の配列或いは連なりからなる情報トラックに対してトラッキングを行いつつ、該情報トラックから情報を再生することも可能である。即ち、情報再生時には、第２光ビームのみを利用し、情報記録時には第１及び第２光ビームの両方を利用するという、記録及び再生の別に応じて、光ビームを使い分けるように情報再生装置を構築することも可能である。情報再生時には、第２光ビームのみが使用されるので、相対的に（即ち、再生時にも第１光ビームを使用する場合に比較して）低消費電力且つ単純な制御にて、再生を実行可能となる。特に、情報再生装置を、情報記録時と情報再生時とで光ビームの使い分けをする、記録機能をも備えた「情報記録再生装置」として実現すれば、実践上非常に有利となる。
（情報再生方法）
【００９６】
＜１４＞
本実施形態の情報再生方法は上記課題を解決するために、上述した実施形態の情報記録媒体（但し、その各種態様を含む）から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記担持されたガイド情報を取得する情報取得工程と、前記取得されたガイド情報に基づき前記トラックに対して所定の帯域でトラッキングサーボをかけるように前記光照射手段を制御するトラッキングサーボ工程と、前記トラッキングサーボがかけられている際に、前記一の記録層からの前記照射され且つ集光された第２光ビームに基づく第２光を受光し、該受光された第２光に基づき前記データを取得するデータ取得工程とを備える。
【００９７】
本実施形態の情報再生方法によれば、上述した実施形態の情報再生装置の場合と同様に作用し、最終的には、上述した実施形態の情報記録媒体における記録層から好適に、例えばコンテンツ情報、ユーザ情報等の記録済情報を、高密度にて再生可能となる。
【００９８】
本実施形態のこのような作用及び他の利得は次に説明する実施例から明らかにされる。
【００９９】
以上説明したように、本実施形態に係る情報記録媒体によれば、ガイド層と複数の記録層とを備え、トラックには複数のガイド領域が配置されているので、ＣＬＶ方式を採用しつつ、記録層において記録若しくは再生できるトラックピッチや記録線密度を高めることが可能となる。
【０１００】
本実施形態に係る情報記録装置によれば、光照射手段と情報取得手段とトラッキングサーボ手段とデータ記録制御手段とを備え、本実施形態に係る情報記録方法によれば、情報取得工程とトラッキングサーボ工程とデータ記録制御工程とを備えるので、上述した実施形態の情報記録媒体における記録層に対し好適に、例えばコンテンツ情報、ユーザ情報等の記録すべき情報を、高密度にて記録可能となる。
【０１０１】
本実施形態に係る情報再生装置によれば、光照射手段と情報取得手段とトラッキングサーボ手段とデータ取得手段とを備え、本実施形態に係る情報再生方法によれば、情報取得工程とトラッキングサーボ工程とデータ取得工程とを備えるので、上述した実施形態の情報記録媒体における記録層から好適に記録済情報を高密度にて再生可能となる。
【実施例】
【０１０２】
以下、図面を参照しながら、本発明の各種実施例について説明する。尚、以下では、本発明に係る情報記録媒体を、多層記録型の光ディスクに適用した例について説明する。
＜情報記録媒体の実施例＞
初めに、図１から図１２を参照して、本発明に係る情報記録媒体の一例である多層記録型の光ディスクの実施例について説明する。【０１０３】
先ず、図１〜図８を参照して、本実施例に係る光ディスク１１の基本構成（主に物理的な構造）及び基本原理について説明する。【０１０４】
図１において、光ディスク１１は、多層記録型であり、単一のガイド層１２と複数の記録層１３とを備える。ここに図１は、図中左半面に図示された一枚の光ディスク１１を構成する複数の層を、図中右半面にて、その積層方向（図１中、上下方向）について相互に間隔をあけて分解することで、各層を見易くしてなる模式的な斜視図である。【０１０５】
光ディスク１１に対しては、その記録時に、トラッキングサーボ用であると共に本発明に係る「第１光ビーム」の一例たる第１ビームＬＢ１と、情報記録用であると共に本発明に係る「第２光ビーム」の一例たる第２ビームＬＢ２とが同時に照射される。その再生時に、第１ビームＬＢ１と、情報再生用である第２ビームＬＢ２とが同時に照射される。なお、情報再生時には、第２ビームＬＢ２を、トラッキングサーボ用であり且つ情報再生用である、単一の光ビームとして利用すること（即ち、第１ビームＬＢ１を使用しないこと）も、可能である。【０１０６】
光ディスク１１はＣＬＶ方式であり、同心円状又は螺旋状のトラックＴＲに予め記録されており、情報記録時又は再生時に検出されるトラッキングエラー信号（或いはその元となるウォブル信号）、アドレス情報（或いはその元となるプリピット信号）等は、ＣＬＶ方式に準拠してトラックに沿って配列されている。図１中、右半面に示されているように、第１ビームＬＢ１は、ガイド層１２に集光され、トラックＴＲ（即ち、ガイドトラック）を追従するように、トラッキング制御される。【０１０７】
図２に示すように、第２ビームＬＢ２は、ガイド層１２上に積層された複数の記録層１３のうち記録対象又は再生対象たる、所望の一つの記録層１３に集光される。第２ビームＬＢ２は、例えばＢＲ（ブルーレイ）ディスクと同じく比較的小径の青色レーザビームである。これに対して、第１ビームＬＢ１は、例えばＤＶＤと同じく比較的大径の赤色レーザビームである。第１ビームＬＢ１により形成される光スポットの径は、第２ビームＬＢ２により形成される光スポットの径と比べて、例えば数倍程度となる。【０１０８】
複数の記録層は、例えば１６層など、各々に独立して情報を光学的に記録可能、更に再生可能となるように構成される。より具体的には、複数の記録層１３は夫々、例えば、２光子吸収材料を含む半透明の薄膜から構成される。例えば、２光子吸収材料としては、２光子吸収が起こった領域の蛍光強度が変化する蛍光物質を用いる蛍光タイプ、電子の局在化によって屈折率が変化するフォトリフラクティブ物質を用いる屈折率変化タイプなどが、採用可能である。屈折率変化タイプの２光子吸収材料としては、フォトクロミック化合物やビス（アラルキリデン）シクロアルカノン化合物などの利用が有望視されている。【０１０９】
２光子吸収材料を利用した光ディスク構造としては、(i)光ディスク１１の全体が２光子吸収材料からなるバルク型と(ii)２光子吸収材料の記録層及び別の透明材料のスペーサ層を交互に積層した層構造型とがある。層構造型は、記録層１３及びスペーサ層間の界面で反射される光を利用してフォーカスサーボ制御が可能となる利点がある。バルク型は、多層成膜工程が少なく、製造コストを抑えられる利点がある。【０１１０】
記録層１３の材料としては、第２ビームＬＢ２の波長及び強度の少なくとも一方に応じて感応し、屈折率、透過率、吸収率、反射率などの光学特性が変化することで、記録可能であると共に、安定な材料であればよい。例えば、光重合反応を生じるフォトポリマー、光異方性材料、フォトリフラクティブ材料、ホールバーニング材料、光を吸収して吸収スペクトルが変化するフォトクロミック材料など、透光性或いは半透明の光感応材料が、考えられる。例えば、記録層１３としては、波長λ２の第２ビームＬＢ２に感応するともに波長λ１（λ２＜λ１）の第１ビームＬＢ１に感応しない相変化材料、２光子吸収材料などが用いられる。【０１１１】
複数の記録層１３は夫々、上述の２光子吸収材料、相変化材料以外にも、例えば色素材料等であってもよい。複数の記録層１３は夫々、未記録状態では、トラックＴＲは予め形成されておらず、例えば全域が鏡面或いは凹凸のない平面とである。【０１１２】
このような複数の記録層１３がガイド層１２上に積層された光ディスク１１に対し、少なくとも情報記録時には、光ピックアップが有する共通の対物レンズ１０２Ｌを介して、これらの径及び焦点深度が相異なる第１ビームＬＢ１及び第２ビームＬＢ２が、ほぼ又は実践上完全に同軸的に照射される。【０１１３】
図１及び図２において、第２ビームＬＢ２についてのトラッキング動作は、（特に記録時には記録層１３上に何らのトラックも存在しないので）第１ビームＬＢ１によるガイド層１２のトラックＴＲに対するトラッキング動作により、間接的になされる。即ち、第１ビームＬＢ１と第２ビームＬＢ２とは、対物レンズ１０２Ｌ等の共通の光学系（言い換えれば、照射される光ビーム間の位置関係が固定された光学系）を介して、照射される。このため、第１ビームＬＢ１の光ディスク１１の面内における位置決めが、そのまま第２ビームＬＢ２の光ディスク１２の面内（即ち、各記録層１３の記録面内）における位置決めとして、利用できる訳である。【０１１４】
ガイド層１２のトラックＴＲには、トラッキングエラー信号（或いはその元となるウォブル信号などのトラッキングエラーを発生させるための信号）及びプリピット信号を担持する物理構造を夫々有する、複数のサーボ用領域が、配置されている。ここに、トラッキングエラー信号及びプリピット信号は、本発明に係る「ガイド用のガイド情報」の一例を構成する。複数のサーボ用領域は、本発明に係る「複数のガイド領域」の一例を構成している。【０１１５】
ここで図３〜図６を参照して、ガイド層１２の物理的な構造について詳述する。図３〜図６は夫々、ガイド層１２におけるウォブリングが施されたトラック部分を抜粋して拡大表示している。特に、図３は、実施例における単にウォブリングが施されたトラック部分を示し、図４は、各トラックの全域に渡って隙間無くグルーブ及びランド等が作り込まれた比較例における、ガイド層１２のトラック部分を示す。図５は、実施例における「ウォブル及び一部切欠き構造」を有すると共にウォブリングが施されたトラック部分を示し、図６は、実施例における「ウォブル及び狭義のランドプリピット」を有すると共にウォブリングが施されたトラック部分を示す。【０１１６】
図３に示すように、ガイド層１２には、図１におけるトラックＴＲの具体例に相当する、グルーブトラックＧＴが形成されている。グルーブトラックＧＴは、例えば光反射性の材料からなる薄膜である反射膜１２ａが、凹凸溝が形成された基材としての透明膜１２ｃ上に成膜され、更に保護膜としての透明又は不透明な膜１２ｂで埋められることで形成される。図３中で上側に位置する基材としての透明膜１２ｃに掘られた溝という意味で、グルーブトラックＧＴ或いはグルーブは、図２中で、上側に凸状に形成されている。或いは逆に、グルーブトラックＧＴは、反射膜１２ａが、凹凸溝が形成された基材としての透明又は不透明な膜１２ｂ上に成膜され、更に保護膜としての膜１２ｃで埋められることで形成される。【０１１７】
グルーブトラックＧＴは、ウォブルＷＢを側壁に有する。言い換えれば、グルーブトラックＧＴは、側壁がトラック方向に沿ってウォブリング（蛇行）するように形成されている。【０１１８】
図３において、グルーブは局所的にのみ設けられているが、一点差線で示した各グルーブトラックＧＴは、記録後に記録層１３（図１参照）が有することになる記録情報がなす記録済情報トラックのトラックピッチに対応するトラックピッチで配置されている。ここで、既にガイド層１２のトラックＴＲに沿って記録済である、トラックＴＲに沿った記録情報の記録層１３上における配列を、以下適宜、単に「記録済情報トラック」と呼ぶ。情報記録済トラックは、物理的には、記録時に第２ビームＬＢ２の照射により記録層１３の記録面に形成された、蛍光強度が変化した部分、屈折率が変化した部分、相変化部分、色素変化部分などの、ガイド層１２のトラックＴＲに沿った一連のつらなりと言える。即ち図３中では、グルーブが何ら形成されていないグルーブトラックＧＴについても、所定頻度でトラッキングエラーを発生可能な頻度にてグルーブが形成されている。即ち、図３に図示されていない径方向位置及びトラック方向位置においては、グルーブトラックＧＴ上にグルーブが適宜に形成されており、周回に渡って何らのグルーブが形成されていないグルーブトラックＧＴは、基本的に存在しない。【０１１９】
図４において、比較例では、記録後に記録層１３（図１参照）が有することになる記録情報がなす記録済情報トラックのトラックピッチに対応するトラックピッチで、トラック方向及び径方向の全域に渡って、グルーブ及びランドが形成されている。伝統的なＤＶＤ、ＢＲディスク等では、グルーブトラックＧＴは、記録層がガイド層を兼ねているために又は記録層の記録済情報トラックとガイド層のガイドトラックとが一対一対応しているために、ガイド層についても、図４の比較例の如く構成されている。【０１２０】
これに対して、図３の具体例では、グルーブは、グルーブトラックＧＴ上において、トラック方向に沿っての全域に渡って形成されていない。グルーブは、径方向についても、相互に隣接するグルーブトラックＧＴ上に形成されていない。このような配置（より具体的にはトラック方向及び径方向についての配置間隔）の定量的な説明及びそれによる作用効果は、後に図７〜図１２を参照して詳述する。【０１２１】
なお図５に示すように、ガイド層１２（図１参照）に設けられるグルーブトラックには、一部切欠き構造からなるグルーブノッチＧＮ１が作り込まれてもよい。切欠きとは、グルーブトラックの一つのトラック幅に渡って切り欠かれてなる鏡面である。【０１２２】
或いは図６に示すように、ランドパートＬＰには、ランドプリピットＬＰＰ１が作り込まれてもよい。なお、図４の比較例にも、ランドプリピットＬＰＰ１が作り込まれている。図５のグルーブノッチＧＮ１と図６のＬＰＰ１は、ガイド層再生時において、真逆に表れるが同様の効果を持つ。【０１２３】
加えて、図６中では、プリピットが何ら形成されていないランドパートＬＰについても、適宜に、プリピットが形成されてもよい。【０１２４】
ここで図７及び図８を参照して、このようにガイド層１２のトラックＴＲがトラッキングエラー信号（或いはその元となるウォブル信号）を担持する物理構造をトラックＴＲに構築する際における、注意点について検討を加える。【０１２５】
図７に示すように、光スポットＳＰ１が、トラックピッチに対して相対的に大きくない、低密度記録用のトラッキングを行う場合を想定する。この場合、光スポットＳＰ１は（トラックピッチ０．５μｍに対し）直径１μｍ程度であり、自らが集光され追従しているトラックＴＲ２以外のトラックＴＲ１及びＴＲ３上の信号のノイズとしての影響を殆ど又は実践上全く受けない。即ち、全てのトラックＴＲ１、ＴＲ２、ＴＲ３、…に対し、それらの径方向及びトラック方向に隙間無く、グルーブ構造やウォブル構造（図３参照）、更に、一部切欠き構造（図５参照）、プリピット構造（図６参照）を与えても、トラッキングエラー信号（或いはその元となるウォブル信号）にクロストークが発生しない。このため、トラッキングを実行可能となる。【０１２６】
図８に示すように、これに対し、光スポットＳＰ１が、トラックピッチに対して相対的に大きい、高密度記録用のトラッキングを行う場合を想定する。この場合、光スポットＳＰ１は（トラックピッチ０．２５μｍに対し）直径１μｍ程度であり、自らが集光され追従しているトラックＴＲ３以外のトラックＴＲ１、ＴＲ２、ＴＲ４及びＴＲ５上の信号のノイズとしての影響を顕著に受ける。即ち、全てのトラックＴＲ１、ＴＲ２、ＴＲ３、…に対し、それらの径方向及びトラック方向に隙間無く、グルーブ構造やウォブル構造等（図３〜図６参照）を与えてしまうと、トラッキングエラー信号にクロストークが顕著に発生する。このため、トラッキングを実行不可能となる。【０１２７】
特に、本実施例の如くＣＬＶ方式であると、ＣＡＶ方式の場合と異なり、径方向位置に応じて、隣接する複数のトラックＴＲ上におけるアドレス位置関係（アドレスの差）が変化するので、仮に一の場所でトラッキング可能でも、他の場所で（即ち、径方向に隣接する他の信号発生領域の接近の度合いが強くなる箇所では）トラッキングが不可能となる可能性が顕著に出てきてしまう。【０１２８】
これは、図８に示すように、ランドプリピットＬＰＰ１が近隣に存在する場合にも、同様である。即ち、トラッキング対象となっているトラックＴＲ３に設けられえたランドプリピットＬＰＰ１に対して、他のトラックＴＲ５に設けられた図中、破線の円で囲まれたランドプリピットＬＰＰ１に記録されたプリピット信号（即ち、ランドプリピット信号）が、ノイズとして影響する。この結果、いずれの位置にてもランドプリピットＬＰＰ１が検出不可能となるか、又は径方向位置やトラック方向位置によっては、ランドプリピットＬＰＰ１が検出不可能となる。言い換えれば、プリピット信号によるアドレス情報等が検出不可能となる。このように、隣接するトラックのみならず、２トラックだけ或いはそれ以上離れたトラック同士のクロストークについても低減する配置が求められる。【０１２９】
図８に示した如き状況は、記録層１３に高密度記録に対応する第２ビームＬＢ２（例えば、ＢＲディスクと同じく青色レーザ）を用いて、記録後に情報記録トラックが狭ピッチになるように、狭ピッチのトラックＴＲをガイド層１２に予め形成すると共に、ガイド層１２に対しては低密度記録に対応する第１ビームＬＢ１（例えば、ＤＶＤと同じく赤色レーザ）を用いる場合には、必然的に発生してしまう。即ち、ガイド層１２に対して、第１ビームＬＢ１を利用し、且つ記録層１３に対して、第１ビームよりも小径の第２ビームＬＢ２を利用する場合には、必然的に発生する技術的な制約であると言える。仮に、ガイド層１２に、第１光ビームＬＢ１に対応するピッチのトラックＴＲを形成したのでは、記録層１３での高密度記録用のトラッキングを行う役には全く立たない。【０１３０】
しかるに、所定の周波数帯域でトラッキングを行うという特定目的は、いずれかのトラックＴＲにていずれかのタイミングにてトラッキングエラー信号を発生させる必要があるにせよ、トラッキングエラー信号を検出するためのウォブル構造或いはプリピット構造（図３〜図６参照）を、トラックＴＲ上に、トラック方向に連続して形成しなくても、達成可能である。即ち、所定の周波数帯域でトラッキングサーボが動作可能となる最長の距離以下となる配置間隔（即ち、配置ピッチ）であれば、トラックＴＲ上におけるトラック方向に沿った全域に、トラッキングエラー信号が発生するようにウォブル構造等（図３〜図６参照）を施しておく必要はない。しかも、相隣接する複数のトラックＴＲについて言えば、この特定目的の達成のために、径方向に揃った位置（即ち同一位相又は同一位相となる位置若しくは領域、言い換えれば、光ディスク１１上における同一角度又は同一角度となる位置若しくは領域）の夫々に、トラッキングエラーを発生させるウォブル構造を整列させておく必要もない。【０１３１】
加えて、トラッキングエラー信号のみならず、ランドプリピットＬＰＰ１などのプリピットを用いての、アドレス情報等の他の記録制御用或いは再生制御用の制御情報を構成するプリピット信号を検出するという特定目的のためにも、トラックＴＲ上におけるトラック方向に沿った全域に、ウォブル構造或いはプリピット構造等（図３〜図６参照）を作り込んでおく必要はない。例えば、未記録トラックにスタッフィングビットを詰めるかのように、予め何らかの情報をトラック方向や径方向にくまなく記録しておかなくても、制御情報の検出は可能である。【０１３２】
そこで本実施例では特に、トラックＴＲには、主にトラッキングを可能ならしめるという特定目的を達成するために、複数のサーボ用領域が以下に説明する如くにトラック方向及び径方向の双方について、離散的に設けられる。【０１３３】
次に図９〜図１２を参照して、トラックＴＲにおける、このようなサーボ用領域等の配置について詳細に説明する。【０１３４】
図９に示すように、ガイド層１２におけるトラックＴＲには、緩衝領域２１、サーボ用領域２２及び鏡面領域２３が配置されている。【０１３５】
サーボ用領域２２は、図３〜図６に示した如き、ウォブル構造やプリピット構造が予め作り込まれる領域、即ちトラッキングエラー信号やプリピット信号を検出可能な領域である。【０１３６】
サーボ用領域２２は、本発明に係る「ガイド領域」の一例であり、トラック方向（図９中、左右方向）に、相互に、予め設定された所定距離又はそれ未満の距離を、配置間隔（即ち配置ピッチ）として離散的に配置されている。より具体的には、５スロット（Slot）を一グループ（１Group）として、サーボ用領域２２は、1グループに一つずつ配置されている。この１グループ毎に設ける際におけるサーボ用領域２２の配置間隔（即ち、配置ピッチ）は、本発明に係る「所定距離」の一例である。この配置間隔は、所定の周波数帯域でトラッキング動作を安定的に実行可能ならしめる頻度にてトラッキング信号を発生し得る最長の距離よりも若干のマージンを持って短い距離の一例である。【０１３７】
しかも、複数のサーボ用領域２２は、径方向（即ち図９中、上下方向）に、相隣接する複数のトラックＴＲに渡って、該複数のトラックＴＲ間で積極的に或いは能動的に左右に（即ちトラック方向に沿って）ずらされて配置されている。即ち、複数のサーボ用領域２２は、同一位相又は同一位相となる径方向に隣接するスロット（図９中、上下に並ぶスロット）内には、配置されていない。【０１３８】
より具体的には、サーボ用領域２２を含むスロットは、４トラックおきにのみ、径方向に概ね同一位置にくるように配置されている。即ち、径方向に隣接する片側２トラックである合計４トラックについては、他のトラックのサーボ用領域２２を含むスロットが、径方向に相隣接しないように配置されている。径方向に相隣接するスロットが、トラック方向に（即ち、図９中、左右に）若干ずれているのは、ＣＬＶ方式に基づく周回毎のスロット位置のズレによるものである。トラックピッチは０．３２μｍであり、１．０μｍである光スポットＳＰ１の径に対応している。第１ビームＬＢ１との関係で言えば、サーボ用領域２２を含むスロット（例えば「トラックＮ−２」であれば「Slot１」）のうち、径方向に隣接する５トラック以内に配置されているもの同士は、第１ビームＬＢ１が、同時にかからない程度にトラック方向にずらされている。【０１３９】
緩衝領域２１は、その上半分に模式的に図示した如く鏡面構造を有する領域、又は、その下半分に模式的に図示した如くストレートグルーブ若しくはストレートランド構造を有する領域である。緩衝領域２１は、トラック方向に、複数のサーボ用領域２２の各々における先頭部の前と最後部の後ろに夫々隣接配置されている。【０１４０】
図９に示すように、サーボ用領域２２の先頭部の前の緩衝領域２１は、隣接するサーボ用領域２２と同一スロット内に配置され、サーボ用領域２２の最後部の後ろの緩衝領域２１は、この同一スロットに後続するスロット内に配置されている。なお、最後部の後ろの緩衝領域２１は、同一スロット内に配置されてもよいし、或いは、先頭部の前の緩衝領域２１は、同一スロットに先行するスロット内に配置されてもよい。【０１４１】
緩衝領域２１における緩衝作用によって、情報記録時等にサーボ系において、サーボ用領域２２からの信号検出に対する準備期間が与えられる。特に、サーボ用領域２２が、ウォブル構造を有するグルーブトラックである場合に、サーボ用領域２２の先頭側に配置される緩衝領域２１をストレートグルーブで構成すれば、情報記録時においてトラッキングオンの状態で、第１ビームＬＢ１をサーボ用領域２２に突入させられる。即ち、サーボ用領域２２の先頭側に配置される緩衝領域２１が、トラッキングサーボを安定動作させるために極めて効果的な準備期間を与えてくれる。【０１４２】
鏡面領域２３は、鏡面構造を有する領域である。鏡面領域２３は、トラック方向に、サーボ用領域２２外における、緩衝領域２１と緩衝領域２１との間に配置されている。鏡面領域２３は、各トラックＴＲに沿って概ねスロット４つ分だけ、連続して形成されている。言い換えれば、トラックＴＲに沿って、概ね５スロットのうち１スロットの割合で、緩衝領域２１を伴うサーボ用領域２２が予め作り込まれると共に、概ね５スロットのうち４スロットについてはグルーブ、プリピット等が作り込まれることはなく、鏡面として残される。【０１４３】
このようにスロット単位にて、緩衝領域２１付のサーボ用領域２２を構築することによって、記録時等に、トラックＴＲに沿ってサーボ用領域２２を探し出すのが容易となり、安定して確実にトラッキングエラー信号を検出可能となり、安定したトラッキング動作が実行可能となる。【０１４４】
以上のように構成されているため、第１ビームＬＢ１のスポットＳＰ１が相隣接する５つのトラックＴＲに跨るまでトラック密度を高めても、これに対応してサーボ用領域２２が上述の如くずらされているので、トラッキングエラー信号のクロストークを確実に低減できる。同時に、サーボ用領域２２に、制御用のサーボマークやアドレス情報などを担持するプリピット或いはランドプリピットＬＰＰ１についても、クロストークを確実に低減できる。【０１４５】
このように、トラックＴＲについては、図１から図８を参照して説明した物理構造を有するので、トラッキングサーボを可能ならしめること或いはプリフォーマット情報を読み取らせることなどのガイド機能を損なわないようにしつつ、そのピッチを狭めることが可能となる。【０１４６】
本実施例では特に、スロット単位で、サーボ用領域２２を作り込んだり作り込まなかったりするので、トラッキングエラー信号等の検出が、容易にして安定的に、実行可能となる。【０１４７】
この際、トラックＴＲ上におけるスロットのトラック方向の長さと、記録層１３に夫々記録されることになるデータのフォーマットにおける、例えばＥＣＣブロック、ＲＵＢ（Recording Unit Block）、ＡＤＩＰ単位の如き、構成単位のトラック方向の長さとが、所定の整数比となるように構成するとよい。このようにすると、トラッキングエラー信号等の発生頻度と、トラックＴＲに対応する記録面内位置における記録層１３にデータを記録する周期とを、半径位置に寄らずに或いはトラック位置に寄らずに、一定の関係に維持することが容易となる。特にＣＬＶ方式であっても、任意の径位置にて、安定したトラッキングサーボが実行可能となる。【０１４８】
図１０は、以上のようなスロットを採用する場合の、ガイド層１２のトラックＴＲにおけるプリフォーマットの一具体例を示す。この例は、３アドレス構成の場合の１ＲＵＢの単位での構成例である。【０１４９】
図１０において、１つのＲＵＢは、ＢＤ−Ｒ（Ｂｌｕｅ ｒａｙ Ｄｉｓｃ−Ｒｅｃｏｒｄａｂｌｅ：一回記録可能なブルーレイディスク）のフォーマットに相当して構成されている。【０１５０】
具体的には、１つのＲＵＢは、物理的には、（２４８×（２×２８））個の物理クラスター（Ｐｈｙｓｉｃａｌ Ｃｌｕｓｔｅｒ）から構成され、論理的には、三つのＡＤＩＰワード（ＡＤＩＰ word ＮＯ．１〜ＮＯ．３）から構成される。即ち、３アドレス構成とされている。【０１５１】
１つのＡＤＩＰワードは、８３個のＡＤＩＰ単位（ＡＤＩＰ ｕｎｉｔｓ）から構成される。１つのＡＤＩＰ単位は、５６ｗｂｌ（ウォブル）から構成され、これは２つの記録フレーム（Ｒｅｃｏｒｄｉｎｇ ｆｒａｍe）に相当する。記録されるデータは、１５個のコードワード（ｃｏｄｅ ｗｏｒｄ）、即ち９ｎｉｂｂｌｅｓ（ニブル）の単位となる。従って、１つのＲＵＢは、１３９４４ウォブルに相当する区間となる。【０１５２】
これに対して、本実施例では、各アドレスワード（Ａｄｄｒｅｓｓ Ｗｏｒｄ）は、先頭１３ｗｂｌが、ゼロユニット（Ｚｅｒｏ ｕｎｉｔ）とされ、これに続く１０３個のアドレスサブユニット（Address sub-unit  Ａ１〜Ａ１０３）を含む。ここに、アドレスデータは、１Ｓｌｏｔ当り２ｂｉｔなので、２ｂｉｔ×１０３＝２０６ｂｉｔｓに相当する。【０１５３】
各アドレスサブユニットは、図９に示した通り、５つのスロット（Ｓｌｏｔ）を１つのグループ（Ｇｒｏｕｐ）として、多数のグループから構成されている。１つのグループは、５スロットに相当するので、合計で、（８＋１）×５＝４５ｗｂｌから構成されている。各スロットの先頭部にある１つのウォブルＤは、緩衝領域２１（図９参照）に割り当てられる。【０１５４】
よって、本例では、１つのＲＵＢの長さは、（４５×１０３）×３＋１３×３＝１３９４４より、１３９４４ｗｂｌに相当している。また、本例では、各スロットの先頭に位置する緩衝領域２１の長さは、１つのウォブルＤに相当し、Ｄ＝１ｗｂｌ＞１．２μｍ（光スポットの最大径）とされている。【０１５５】
図１１に示すように、１スロット内におけるデータのアサイン（割り当て）の一例では、各スロットの９ビットのうち、最初の２ビット又は３ビットが、ＳＹＮＣ信号（即ち、トラッキングエラー信号を検出可能とするシンク信号）に割り当てられる。続く３ビットがスロット番号（Ｓｌｏｔ ＮＯ.）に割り当てられ、続く２ビットがデータ（即ち、制御用データ、アドレスデータなど）に割り当てられる。例えば、この２ビットのデータにより、データ値（Ｄａｔａ）「０」〜「３」が（次のスロット番号が「５」である場合に）、図中下半面に示した如きビット配列として夫々表現される。【０１５６】
因みに、ＥＣＣブロックの構成については、例えば、２０６bits中１９２ｂｉｔｓ（＝８ｂｉｔｓ×２４）を使用して、１２Ｂｙｔｅｓ  ｒａｗ  ｄａｔa＋１２ＢｙｔｅｓをＥＣＣコードとして利用する。【０１５７】
例えば、符号Ｃ０、…、Ｃ２３(Ｐａｒｉｔｙ  Ｃ１３、…、Ｃ２３)について、以下のように、Ｒｅｅｄ‐Ｓｏｌｏｍｏｎコードを生成する。【０１５８】
【数１】
2011125158.tif 000003
＝{Ｉ(Ｘ)・Ｘ}ｍｏｄ{ＧＥ(Ｘ)}【０１５９】
【数２】
2011125158.tif 000004
【０１６０】
【数３】
2011125158.tif 000005
ここで、αは、原始元
Ｇｐ(ｘ)＝Ｘ８＋Ｘ４＋Ｘ３＋Ｘ２＋１
なお、本例では、１ウォブルは、６９×２＝１３８チャネルビットとされている。各スロットの最初の１つのウォブル（言い換えれば、１ビット）が、緩衝領域２１（図９参照）に割り当てられてよい。【０１６１】
次に、図１２を参照して、各グループ内におけるスロット配置に必要とされる条件について検討を加える。【０１６２】
図１２に示すグループ及びスロットの構成例では、第１ビームＬＢ１のビーム径をDread、トラックピッチをＰとすると、同時に読込むトラックＴＲの数は、
（Ｄｒｅａｄ/Ｐ）＋１となる。【０１６３】
本実施例では、Ｄｒｅａｄ＝１[μｍ]、Ｐ＝０．３２[μｍ]であるので、
Ｄｒｅａｄ/Ｐ＝(１/０．３２)＋１＝５（切り上げ）となる。【０１６４】
よって、センタートラックＴＲと（隣接±２トラック分）を同時に読込む可能性があるため、隣接２トラック分について、重ならないように配置する必要がある
次に、隣接するトラックＴＲの長さは、２ΠＰだけ異なるため、ＣＬＶでの隣接する部分は、周回毎に（即ち、第１ビームＬＢ１の照射位置が径方向外側にトラック一本分だけ移動する都度に）２ΠＰズレていく。ここで、Ｐ＝０．３２[μｍ]とすると、
Ｘ＝２ΠＰ≒２．０１[μｍ]（但し、Ｘ＝２Π（ｒ＋Ｐ）−２Πｒ）となる。【０１６５】
２トラック内側とのズレは、２×２．０１＝４．０２[μｍ]となる。
ここで、ＢＤフォーマット相当のウォブル1波の長さは、
ＷＬ  ＝  ６９(Ｃｈａｎｎｅｌ ｂｉｔｓ)×０．０７４５[μｍ]
＝５．１４０５[μｍ]
となって、約１ウォブル分程度ズレる。【０１６６】
図１２中、影響ＩＮＦ１は、トラックＴＲ１に隣接することによるトラックＴＲ３への影響を示しており、影響ＩＮＦ２は、トラックＴＲ２に隣接することによるトラックＴＲ３への影響を示している。【０１６７】
図１２から明らかなように、トラックＴＲ１からトラックＴＲ３への影響ＩＮＦ１は、ズレることにより、Slot1及びSlot2に及び、このスロットに配置すると重なってしまう。【０１６８】
同様に、トラック２からのトラック３への影響ＩＮＦ２は、Slot3及びSlot4に及ぶ。【０１６９】
即ち、隣接２トラック分について、影響ＩＮＦ１及び影響ＩＮＦ２が発生しないようにするために、本実施例では、１つのグループは、少なくとも５スロット以上必要である。【０１７０】
次に、本実施例では、１グループを５スロットで構成し、サーボ用領域２２は、少なくとも１グループ内に１つのスロットに配置される（図９参照）。このサーボ用領域２２を配置する際の条件として、１トラック前（隣接トラック）、及び２トラック前（１トラック前の内側の隣接トラック）に配置されたサーボ用領域２２と、径方向において重ならないように、Slot1 から Slot5 に適応配置する。【０１７１】
図１２を参照して説明したように、本実施例では好ましくは、サーボ用領域２２が配置されるスロットは、第1ビームＬＢ１により形成される第１光スポットＳＰ１（図７及び図８）の径と、トラックＴＲのトラックピッチと、ＣＬＶ方式に準拠して周回毎に径方向に相隣接する二つのスロット間の相対位置が、ＣＡＶ方式に準拠したと仮定した場合に比べてトラック方向に沿ってずれる変位量と、スロットのトラック方向の長さとに基づく、スロット単位での繰り上げ計算により、光スポットＳＰ１内に同時に含まれないようにトラック方向及び径方向に離間した、複数のスロット（例えば、径方向に５トラック分だけ離間し且つトラック方向に５スロットだけ離間した複数のスロット）として選定される。選定されたスロット内にのみサーボ用領域２２を配置すれば、比較的容易にして確実にＳＹＮＣ信号或いはトラッキングエラー信号に係るクロストークの発生を回避し得る、スロット配置を実現できる。【０１７２】
以上詳細に説明したように、本実施例によれば、ＣＬＶ方式を採用しつつ、記録層１３において記録若しくは再生できるトラックピッチや記録線密度を、多層記録型の光ディスク１１における本来の目的である「高密度記録」と言える程度にまで高めることが可能となる。【０１７３】
特に図９に示した実施例では、トラック方向及び径方向の双方について、離間したスロット内に、サーボ用領域２２を配置したので、第１ビームＬＢ１でガイド層１２のトラックＴＲを追従させながら、記録層１３へデータを記録させる際、プッシュプル信号をサンプリングすることによって又は位相差法（ＤＰＤ）により位相差信号をサンプリングすることによって、安定的に、連続したトラッキングエラー信号を生成することができる。例えば、左右の分割ディテクターからの差分であるプッシュプル信号の高域成分をＬＰＦ(Ｌｏｗ  Ｐａｓｓ  Ｆｉｌｔｅｒ)によって除去すれば、ウォブル成分及び不要な高域ノイズ成分を除去することが可能となる。ここで、偏心成分を含むトラッキングエラー信号を内周から外周に亘ってサンプルすることにより、連続して取得することが可能となり、記録層１３へ記録する際のトラッキングエラー信号として利用できる。【０１７４】
特に図１０に示した実施例では、１ＲＵＢを３アドレス構成としたので、記録層１３への記録データフォーマットを例えばＢＤ−Ｒフォーマット準拠とした場合、ガイド層１２の第１ビームＬＢ１が、このＢＤ−Ｒフォーマット用の読取ビームより低密度用であるために発生する新たな問題を解決する手段を講じたとしても、記録用プリフォーマットとして必要なプリアドレス等のデータを、所望の情報量だけ形成しておくことができる。この際、１グループ内に、５スロットと第１ビームＬＢ１の光スポットＳＰ１の径による影響を除去するための緩衝領域２１を設けたので、このプリフォーマットデータの取得に際し、クロストークを低減できる。第１ビームＬＢ１のビーム径による影響も除去することができ、安定的にトラックＴＲに予め記録されたプリフォーマット情報を取得できる。【０１７５】
特に図１１に示した如く、本実施例では、各スロット内のビットに、ＳＹＮＣ、データ等を割り当てており、ウォブル1波に対して、プリピットを形成するか又はしないとし、サーボ用領域２２としてプリフォーマットアドレス構成に必要な部分情報を所望のスロット内に適応配置できる。このプリピットは、有／無を判定するためで、本実施例のような光ディスク１１においては、ガイド層１２にデータを記録することがないので、当初の状態でＬＰＰを検出できればよい。このため、後に詳述する記録装置又は再生装置においてプリピット信号の検出が容易となる。【０１７６】
特に図１２に示した実施例では、サーボ用領域２２を含む一のスロットが、１トラック前の隣接トラックのみならず、２トラック前に配置されたサーボ用領域２２を含む他のスロットと重ならないように適応配置される。よって、ガイド層１２を読み取るための第１ビームＬＢ１（例えば、赤色レーザ）が、ＢＤ−Ｒフォーマット用の第２ビームＬＢ２より低密度用であっても、ウォブル及びプリピットを検出する際に、隣接した複数のトラックＴＲに配置されたサーボ用領域２２による影響を回避することができる。よって、良好なプリフォーマットデータを取得できる
＜情報記録再生装置及び方法の実施例＞
次に、図１３から図２１を参照して、本発明に係る情報記録再生装置及び方法の実施例について説明する。【０１７７】
図１３において、記録再生装置１０１は、本発明に係る「情報記録装置」及び「情報再生装置」の一例たるディスクドライブとして構成されており、ホストコンピュータ２０１と接続されている。【０１７８】
記録再生装置１０１は、光ピックアップ１０２、信号記録再生部１０３、スピンドルモータ１０４、バス１０６、ＣＰＵ（ドライブ制御部）１１１、メモリ１１２、及びデータ入出力制御部１１３を備える。記録時には、光ピックアップ１０２が有する対物レンズ１０２Ｌ（図２参照）を介して、第１ビームＬＢ１及び第２ビームＬＢ２が照射され、再生時には、同じく対物レンズ１０２Ｌを介して、トラッキング用の光ビームを兼ねる第２ビームＬＢ２のみ、又は、第１ビームＬＢ１及び第２ビームＬＢ２の両方が照射されるように構成されている。【０１７９】
ホストコンピュータ２０１は、操作／表示制御部２０２、操作ボタン２０２、表示パネル２０４、バス２０６、ＣＰＵ２１１、メモリ２１２、及びデータ入出力制御部２１３を備えて構成される。記録時には、記録すべきデータが、データ入出力制御部２１３から入力され、再生時には、再生されたデータが、データ入出力制御部２１３から出力されるように構成されている。【０１８０】
光ピックアップ１０２は、第1ビームＬＢ１を発する赤色半導体レーザと、第２ビームＬＢ２を発する青色半導体レーザと、対物レンズ１０２Ｌを含む、プリズム、ミラー等から構成される合成分離光学系とを備える。光ピックアップ１０２は、共通の対物レンズ１０２Ｌを介して、第1ビームＬＢ１及び第２ビームＬＢ２を同軸的に且つ異なるフォーカスにて（図１及び図２参照）照射するように構成されている。【０１８１】
更に、光ピックアップ１０２は、第1ビームＬＢ１に起因する光ディスク１１からの反射光を、対物レンズ１０２Ｌを介して受光する、二分割或いは四分割のＣＣＤ等の受光素子と、第２ビームＬＢ２に起因する光ディスク１１からの反射光を、対物レンズ１０２Ｌを介して受光する、二分割或いは四分割のＣＣＤ等の受光素子とを含んで構成される。光ピックアップ１０２は、第２ビームＬＢ２を、記録時に相対的に高強度の記録用強度で変調可能であり、再生時に相対的に低強度の再生用強度に設定可能に構成されている。【０１８２】
光ピックアップ１０２及び信号記録再生部１０３は、少なくとも記録時に、ガイド層１２からの反射光を受光する受光素子からの受光信号により、例えばプッシュプル法又は位相差法（ＤＰＤ）で、トラッキングエラー信号を生成し、更に、プリピット信号或いはアドレス情報を再生可能に構成されている。【０１８３】
光ピックアップ１０２及び信号記録再生部１０３は、再生時に、記録層１３からの反射光を受光する受光素子からの受光信号により、例えばプッシュプル法又は位相差法でトラッキングエラー信号を生成し、例えば全光量に対応する信号としてデータ信号を生成するように構成されている。【０１８４】
或いは、光ピックアップ１０２及び信号記録再生部１０３は、再生時に、ガイド層１２からの反射光を受光する受光素子からの受光信号により、トラッキングエラー信号を生成し、記録層１３からの反射光を受光する受光素子からの受光信号により、データ信号を生成するように構成されている。【０１８５】
メモリ１１２及びメモリ２１２は、(i)記録再生装置１０１におけるＣＰＵ１１１等の各要素、及びホストコンピュータ２０１におけるＣＰＵ２１１等の各要素を、次に説明する記録再生動作が行われるように制御するためのコンピュータプログラム、並びに(ii)記録再生動作に必要な、制御データ、処理中データ、処理済みデータなどの各種データを、バス１０６、バス２０６等を介して一時的又は恒久的に保持するのに適宜用いられる。【０１８６】
以下、図１３に加えて、図１４から図１７を参照して、本実施例の記録再生装置１０１の各構成要素における構成及び動作を、記録再生装置１０１の全体動作と共に説明する。ここに図１４は、情報記録再生装置１０１における、記録再生動作を示し、図１５は、記録動作の一例の詳細を示し、図１６は、再生動作の一例の詳細を示し、図１７は、再生動作の他の例を詳細に示す。【０１８７】
図１４において、先ず、記録再生装置１０１に対し、ユーザによる手動又は機械動作により、上述した本実施例に係るフォーマットの光ディスク１１が装着される（ステップＳ１１）。【０１８８】
すると、ユーザによる表示パネル２０４を見ての操作ボタン２０３上での操作などに応じた動作開始コマンドが、ドライブ側の操作／表示制御部２０２及びＣＰＵ１１１、並びにホスト側のＣＰＵ２１１等により発生される。この動作開始コマンドを受けて、信号記録再生部１０３による制御下で、スピンドルモータ１０４による光ディスク１１の回転が開始される。これと相前後して、信号記録再生部１０３による制御下で、光ピックアップ１０２による光照射が開始される。更に、ガイド層１２に対する読取用サーボ系が動作される。即ち、第１ビームＬＢ１が照射され、ガイド層１２に集光されて、トラッキング動作が開始される（ステップＳ１２）。【０１８９】
なお、この動作開始コマンドを含めた各種コマンド、ユーザデータや制御データを含む各種データの受け渡しは、ホスト側のバス２０６及びデータ入出力制御部２１３、並びにドライブ側のバス１０６及びデータ入出力制御部１１３を介して行われる。【０１９０】
続いて、ガイド層１２上で、第１ビームＬＢ１によるトラックＴＲへの照射が続けられ、ウォブル信号及びプリピット信号（更に、これらの少なくとも一方からプッシュプル法又はＤＰＤ法で得られるトラッキングエラー信号）が、サーボ用領域２２から検出される。更に、これらの信号の少なくとも一方として予め記録されたディスク管理情報が、ドライブ側のＣＰＵ１１１又はホスト側のＣＰＵ２１１等により取得される。【０１９１】
なお、ディスク管理情報は、ガイド層１２における、最内周側に位置するリードイン領域、ＴＯＣ（Ｔａｂｌｅ Ｏｆ Ｃｏｎｔｅｎｔ）領域などにまとめて、記録され読み出されてもよい。その内容は、既存のＤＶＤ、ＢＲディスク等におけるディスク管理情報に準拠したものでよい。管理情報については別途、記録層に特別に設けられたリードイン領域、ＴＯＣ領域などに予め若しくは別途先行して記録されており、これが本時点で又は任意の時点で読み出されてもよい。【０１９２】
次に、ドライブ側のＣＰＵ１１１又はホスト側のＣＰＵ２１１等により、要求されている動作が、データ記録であるか否かが判定される（ステップＳ１４）。ここで、データ記録である場合（ステップＳ１４：Ｙｅｓ）、新規なる光ディスク１１に対する記録処理が実行される（ステップＳ１５）。この記録処理については、後に詳述する（図１５参照）
他方、ステップＳ１４の判定にてデータ記録でない場合（ステップＳ１４：Ｎｏ）、又はステップＳ１５にて新規なる光ディスク１１に対する記録処理が完了された場合、ドライブ側のＣＰＵ１１１又はホスト側のＣＰＵ２１１等により、要求されている動作が、データ再生であるか否かが判定される（ステップＳ１６）。ここで、データ再生である場合（ステップＳ１６：Ｙｅｓ）、新規なる光ディスク１１に対する再生処理が実行される（ステップＳ１７）。この再生処理については、後に詳述する（図１６及び図１７参照）。【０１９３】
ステップＳ１６の判定にてデータ再生でない場合（ステップＳ１６：Ｎｏ）、又はステップＳ１７にて新規なる光ディスク１１に対する再生処理が完了された場合、イジェクト（Ｅｊｅｃｔ）、即ちトレイの排出などが、操作ボタン２０３等を介して要求されているか否かが判定される（ステップＳ１８）。ここで、イジェクトが要求されていなければ（ステップＳ１８：Ｎｏ）、ステップＳ１４に戻って、再び、それ以降のステップが実行される。【０１９４】
他方、ステップＳ１８の判定にてイジェクトが要求されている場合に（ステップＳ１８：Ｎｏ）、イジェクト動作が実行され（ステップＳ１９）、光ディスク１１に対する一連の記録再生処理が完了する。【０１９５】
次に図１５を参照して、新規の光ディスク１１に対する記録処理（図１４のステップＳ１５）の一例について、説明する。【０１９６】
図１５において、記録処理が開始されると、先ず、ＣＰＵ１１１及び信号記録再生部１０３による制御下で、ガイド層１２上において、第１ビームＬＢ１によるトラックＴＲへの照射が続けられたまま（即ち、トラッキング動作が実行されたまま）、ウォブル信号及びプリピット信号が、サーボ用領域２２から検出される。これにより、ＣＰＵ１１１等により、トラックＴＲ上におけるアドレス情報が取得される。このアドレス情報を参照することで、ＣＰＵ２１１等により、データの記録を開始すべきアドレスとして指定された、所望の記録アドレスがサーチされる。即ち、第１ビームＬＢ１がそのアドレス位置へと移動される。このサーチ動作により、光ピックアップ１０２内にて対物レンズ１０２Ｌ等の光学系を第1ビームＬＢ１と共通する第２ビームＬＢ２も（図１及び図２参照）、記録層１３上でそのサーチされた記録アドレスに対応する記録面内における平面位置へと移動される（ステップＳ２１）。【０１９７】
続いて、ＣＰＵ１１１及び信号記録再生部１０３による制御下で、光ピックアップ１０２によって、データを記録すべき所望の記録層１３へと、第２ビームＬＢ２のフォーカスサーボがかけられる（ステップＳ２２）。【０１９８】
続いて、光ピックアップ１０２によって、フォーカスサーボが閉じられた状態で、第２ビームＬＢ２を、記録すべきデータ値に応じて変調しながら照射することで、所望の記録層１３へのデータの記録が開始される（ステップＳ２３）。【０１９９】
続いて、ＣＰＵ１１１等により、所定量の記録が終了したか否かがモニタリングされる（ステップＳ２４）。ここで、記録が終了しない限り、記録層１３へのデータの記録が継続される（ステップＳ２４:Ｎｏ）。【０２００】
ここで、記録が終了すると（ステップＳ２４：Ｙｅｓ）、記録したデータに応じて、管理情報が更新される（ステップＳ２５）。管理情報は、複数の記録層１３の少なくとも一つに設けられたリードイン領域、ＴＯＣ領域などにまとめて記録されてよい。その位置は内周側であってもよいが外周側や途中であってもよいし、多少分散された形で記録されてもよい。これに加えて又は代えて、メモリ１１２、メモリ２１２等内に設けられており、光ディスク１１に紐付けられた管理情報が更新されてもよい。【０２０１】
以上により、新規の光ディスク１１に対する一連の記録処理（図１４のステップＳ１５）が完了する。【０２０２】
次に図１６を参照して、新規の光ディスク１１に対する再生処理（図１４のステップＳ１７）の一例について、説明する。この例は、再生処理時に第１ビームＬＢがトラッキング等のために、用いられない例である。即ち、この例では、記録処理時と異なり、第２ビームＬＢ２がトラッキング用にも用いられる。【０２０３】
図１６において、ＣＰＵ１１１及び信号記録再生部１０３による制御下で、光ピックアップ１０２によって、データを再生すべき所望の記録層１３へと、第２ビームＬＢ２のフォーカスサーボがかけられ、これと相前後して或いは並行して、第２ビームＬＢ２による記録済情報トラックへのトラッキングサーボがかけられる（ステップＳ３１）。【０２０４】
続いて、ＣＰＵ１１１等により、記録済情報トラック上における記録済のアドレス情報が取得される。このアドレス情報を参照することで、ＣＰＵ２１１等により、所望のデータの再生を開始すべきアドレスとして指定された、所望の再生アドレスがサーチされる。即ち、第２ビームＬＢ２がそのアドレス位置へと移動される（ステップＳ３２）。【０２０５】
続いて、光ピックアップ１０２によって、トラッキングサーボ及びフォーカスサーボが閉じられた状態で、第２ビームＬＢ２に起因する反射光を、対物レンズ１０２Ｌを介して受光することで、所望の記録層１３からのデータの再生が開始される（ステップＳ３３）。【０２０６】
続いて、ＣＰＵ１１１等により、所定量の再生が終了したか否かがモニタリングされる（ステップＳ３４）。ここで、再生が終了しない限り、記録層１３からのデータの再生が継続される（ステップ３４:Ｎｏ）。【０２０７】
ここで、再生が終了すると（ステップＳ３４：Ｙｅｓ）、新規の光ディスク１１に対する一連の記録処理（図１４のステップＳ１７）が完了する。【０２０８】
次に図１７を参照して、新規の光ディスク１１に対する再生処理（図１４のステップＳ１７）の他の例について、説明する。この例は、記録処理時のみならず、再生処理時に第１ビームＬＢがトラッキング等のために用いられる例である。【０２０９】
図１７において、ＣＰＵ１１１及び信号記録再生部１０３による制御下で、光ピックアップ１０２によって、ガイド層１２へと、第１ビームＬＢ１のフォーカスサーボがかけられ、これと相前後して或いは並行して、第１ビームＬＢ１によるトラックＴＲへのトラッキングサーボがかけられる。更に、ＣＰＵ１１１等により、トラックＴＲ上におけるウォブルやプリピットから、アドレス情報が取得される。このアドレス情報を参照することで、ＣＰＵ２１１等により、データの再生を開始すべきアドレスとして指定された、所望の再生アドレスがサーチされる。即ち、第１ビームＬＢ１がそのアドレス位置へと移動される。このサーチ動作により、光ピックアップ１０２内にて対物レンズ１０２Ｌ等の光学系を第1ビームＬＢ１と共通する第２ビームＬＢ２も（図１及び図２参照）、記録層１３上でそのサーチされた記録アドレスに対応する記録面内における平面位置へと移動される（ステップＳ４１）。【０２１０】
続いて、トラッキングサーボがかけられたまま、ＣＰＵ１１１及び信号記録再生部１０３による制御下で、光ピックアップ１０２によって、データを再生すべき所望の記録層１３へと、第２ビームＬＢ２のフォーカスサーボがかけられる（ステップＳ４３）。【０２１１】
続いて、光ピックアップ１０２によって、第1ビームＬＢ１にてトラッキングサーボが閉じられており且つ第２ビームＬＢ２にてフォーカスサーボが閉じられた状態で、第２ビームＬＢ２に起因する反射光を、対物レンズ１０２Ｌを介して受光することで、所望の記録層１３からのデータの再生が開始される（ステップＳ４３）。【０２１２】
続いて、ＣＰＵ１１１等により、所定量の再生が終了したか否かがモニタリングされる（ステップＳ４４）。ここで、再生が終了しない限り、記録層１３からのデータの再生が継続される（ステップ３４:Ｎｏ）。【０２１３】
ここで、再生が終了すると（ステップＳ４４：Ｙｅｓ）、新規の光ディスク１１に対する一連の再生処理（図１４のステップＳ１７）が完了する。【０２１４】
次に図１８から図２１を参照して、トラッキングサーボが所定の周波数帯域で動作可能であるところの、トラック方向に沿って離散的に配置されるサーボ用領域２２の配置間隔或いは最長の配置間隔（即ち、本発明に係る「所定距離」の一例）を決定する方法を、トラッキングサーボ系と共に説明する。【０２１５】
図１８に示すように、トラッキングサーボ系は、減算器を含むエラー検出器（Error Detector）３０１と、サンプリングスイッチ、キャパシタ及びバッファを含むサンプラー（Sampler）３０２と、増幅器及びイコアライザー（Amplifier & Equalizer）３０３と、アクチュエータ（Actuator）３０４とを含む。【０２１６】
エラー検出器３０１には、トラッキングサーボ用の外乱が入力され、アクチュエータ３０４からのフィードバック信号が減算（マイナス加算）され、減算信号として出力される。  エラー検出器３０１からの減算信号は、サンプラー３０２に入力される。【０２１７】
サンプラー３０２は、サンプル値をホールドする、いわゆる「零次ホールド回路」として構成されている。具体的には、サンプリングタイミングにて閉じるサンプリングスイッチと、これをホールドするキャパシタと、バッファとを備える。サンプラー３０２により、減算信号は、サンプリングスイッチにより、トラッキングサーボを動作させる周波数帯域に応じたサンプリングタイミングでサンプリングされ、更にキャパシタによりホールドされ、バッファによりバッファリングされる。サンプリングタイミングは、例えば、第１ビームＬＢ１を受光する受光素子にて検出されたウォブル信号及びプリピット信号などの、マーク信号により生成される。但し、サンプリングタイミングの生成方法は、これに限られず、後述する変形例等の媒体構成に応じて生成されてよい。また、サンプラー３０２の構成についても、これに限られることはなく、「１次ホールド回路」等でもよいことは言うまでもない。【０２１８】
このようにサンプリングされたサンプラー３０２からのバッファ出力は、増幅器及びイコアライザー３０３により増幅及びイコアライズされ、更に、アクチュエータ３０４に入力される。【０２１９】
この入力された増幅信号に応じて、アクチュエータ３０４により、光ピックアップ１０２内に設けられた、ガイド層１２上における第１ビームＬＢ１の照射位置（従って、記録層１３上における第２ビームＬＢ２の照射位置）が、径方向に移動される。アクチュエータ３０４からは、その変動に応じたフィードバック信号がエラー検出器３０１へとフィードバックされる。【０２２０】
ここで特に、図１９から図２１を参照して、サンプラー３０２におけるサンプリングタイミングについて検討を加える。【０２２１】
図１９は、エラー検出器３０１に入力される最大の外乱要素である偏心成分が変化した場合について、サンプラー３０２の動作出力を、模式的に示している。図１９から、時間に対して、トラッキングエラーが概ね一定周期でプラス側からマイナス側へと波打っている様子が分かる。【０２２２】
図２０は、サンプラー３０２により「零次ホールド」を行った場合における、伝達関数のボーデ線図（Ｂｏｄｅ Ｐｌｏｔ ｏｆ ｚｅｒｏ−ｏｒｄｅｒ ｈｏｌｄ）を示している。言い換えれば、ここでは、零時ホールドの周波数特性が示されており、特に、ゲイン特性（上側にある特性曲線）と位相（下側にある特性曲線）とが、ボーデ線図内に重ねて示されている。この例では、１ｍｓでサンプルした場合について示しているが、実際はもっと短い時間間隔で行われる。【０２２３】
図２０から、位相特性について、１ＫＨｚサンプリングした場合、１００Ｈｚでの信号は、位相における特性曲線部分１００１で示したように、位相が数度程度回ることが分かる。逆に、位相まわりを無視できる帯域として、仮に１００Ｈｚとすると、１０倍程度（１ＫＨｚ）以上のサンプル間隔が必要となる（即ち、１ＫＨzよりも高周波数でサンプリングすることが必要となる）とも言える。【０２２４】
図２１は、トラッキングサーボについて、ディスクの外乱特性と、トラッキングサーボのオープンループ特性との例を示している。この例では、「ディスク（即ち、光ディスク１１）の外乱特性」が、周波数２３．１Ｈｚまでは、片側３５μｍの偏心成分があり、加速度領域では１．１ｍ／Ｓ2 である。即ち、ディスクの外乱は、周波数２３．１Ｈｚまでは、特性図中で３５μｍに相当する６４ｄｂにて概ねフラットであり、それより高周波数側では、０．０２２μｍに相当する０ｄＢへと、１．１ｍ／Ｓ２の傾きにて下がっている。トラッキングサーボのオープンループ特性は、このようなディスクの外乱を抑圧可能な特性例として示されている。即ち、特性図中、いずれの周波数でも、オープンループ特性の方が高ゲイン側となるように設定されており、これにより、どの周波数帯域でも外乱を抑圧可能となる。なお、この例では、ｆ０（カットオフ帯域）＝２．４ＫＨｚとして示している。【０２２５】
図１９から図２１を参照して説明した本例の場合、「所定距離」は次のように決定される。【０２２６】
即ち、トラッキングサーボ帯域を、例えば、２．４ＫＨｚとすると、先に述べたホールド回路として実現されるサンプラー３０２による影響を無視できるためには、約１０倍である２４ｋＨｚに相当する 、時間間隔Ｔ＝１／（２４×１０３)＝４６．７ [μｓｅｃ]として求まる。この時間間隔Ｔと、光ディスク１１のスピンドルモータ１０４による回転線速度との関係から、トラック方向に離散的に相前後して並ぶ二つのサーボ用領域２２の配置間隔或いは配置ピッチ（図９参照）として、必要な最長の距離、即ち本発明に係る「所定距離」の一例が決定される。【０２２７】
例えば、線速 ｖ を４．９１７ｍ/ｓｅｃ  とすると、所定距離Ｌは、Ｌ＝ｖ×Ｔ  ≒２３０[μｍ]として求められる。即ち、トラックＴＲに沿って５スロットに一つの割合でサーボ用領域２２が入れられる場合、５スロットの長さが、この２３０[μｍ]よりも短くなるように、スロット構成が決定されたり、或いは、何スロットに一つずつサーボ用領域２２を入れるかが決定される。【０２２８】
なお、サーボ用領域２２の配置間隔（即ち、配置ピッチ）の決定方法は、本例に限られることはなく、図２０及び図２１に示した如き必要とされるサーボ帯域や、光ディスク１１のＣＬＶ方式における線速度等を考慮して決定すればよい。
＜各種変形例＞
以下、実施例の各種変形例について図２２から図２８を参照して説明する。【０２２９】
図２２は、プリアドレス構成例についての変形例を示す。ここに図２２は、本変形例における図１０と同趣旨の概念図により、サーボ用領域２２におけるプリアドレス構成を示している。【０２３０】
図２２において、１レコーディングユニットブロック（Ｒｅｃｏｒｄｉｎｇ Ｕｎｉｔ Ｂｌｏｃｋ）相当に対して、４アドレス構成とされている。各々のアドレスは、７７サブユニット（ｓｕｂ−ｕｎｉｔ ｓ）より構成されている。アドレスデータは、
(１スロットのデータ)×(７７［sub-unit］)＝２bit×７７＝１５４［ｂｉｔｓ］となるので、例えば、ＥＣＣブロックの構成については、１５４［ｂｉｔｓ］中１４４［ｂｉｔｓ］（＝８bit ×１８)を使用して、９ Ｂｙｔｅｓ ｒａｗ ｄａｔａ ＋ ９ ｂｙｔｅｓ ＥＣＣコードとする。【０２３１】
なお、本変形例でも、上述の実施例（図１０参照）の場合と同様に、１つのＲＵＢの長さは、（４５×１０３）×３＋１３×３＝１３９４４より、１３９４４ｗｂｌに相当しており、各スロットの先頭に位置する緩衝領域２１の長さは、１つのウォブルＤに相当し、Ｄ＝１ｗｂｌ＞１．２μｍ（光スポットの最大径）とされている。【０２３２】
従って、本変形例によれば、図１０に示した３アドレス構成の場合と比べて、アクセス時に、アドレス検出の確率が向上するというメリットが得られる。【０２３３】
次に図２３は、上述した本実施例におけるサーボ用領域２２に形成される物理的なトラック構成を示し、図２４〜２７は夫々、その変形例を示す。【０２３４】
図２３の本実施例では、ウォブルＷＢとランドプリピットＬＰＰ１とから、サーボ用領域２２のトラックＴＲが構成されている。ここに、ウォブルＷＢとランドプリピットＬＰＰ１との周期を整数倍の関係とし、更に、ウォブルＷＢの各頂点に、ランドプリピットＬＬＰ１が形成されている。このため、プリピット信号及びウォブル信号の検出を容易にすることができる
図２４の変形例では、グルーブトラックのウォブルＷＢ１の各頂点に、ウォブル振幅（振れ量）が局所的に高められた急カーブ部分５０１が設けられている。即ち、プリピットなしで、特殊なウォブルＷＢ１から、サーボ用領域２２のトラックＴＲが構成されている。この場合にも、ウォブル信号の検出を容易にすることができる
図２５の変形例では、短く分断して掘られた複数のグルーブ５０２の、トラックＴＲに沿った連続的な配列自体がウォブリングされることで、ウォブルＷＢ２が形成されている。例えば、プリエンボス加工により、ウォブルＷＢ２を形成すれば、このような構造のトラックＴＲｗを、各サーボ用領域２２に構築可能となる。【０２３５】
図２６の変形例では、径方向の幅が一定であり且つトラック方向の長さが適宜に変調されている、短く分断して掘られた複数のグルーブ５０２の、トラックＴＲに沿った連続的且つ直線的な配列（言い換えれば「マークパターン」）がトラックＴＲとされている。この変形例では、トラックＴＲがウォブリングされていない。例えば、プリエンボス加工により、マークパターンを形成すれば、このような構造のトラックＴＲｗを、各サーボ用領域２２に構築可能となる。【０２３６】
次に図２７は、上述した本実施例における緩衝領域２１及び鏡面領域２３に形成される物理的なトラック構成の各種変形例を、鏡面及びストレートグルーブの各種組み合わせとして示す。図２７において、「領域１」とは、図９等に示した緩衝領域２１に相当する領域であり、「領域３」とは、図９等に示した鏡面領域２３に相当する領域である。「（領域２前）」とは、図９等に示したサーボ用領域２２におけるトラック方向に前側に隣接配置されているとの意味であり、「（領域２後ろ）」とは、図９等に示したサーボ用領域２２におけるトラック方向に後ろ側に隣接配置されているとの意味である。【０２３７】
上述の実施例では、図９に示した通り、緩衝領域２１は、鏡面又はストレートグルーブ領域として構成され、鏡面領域２３は、鏡面として形成されている。図２７の各種変形例において、サーボ用領域２２の物理的な構成については、上述した本実施例（図２３参照）又は変形例（図２４から図２６参照）と同様である。【０２３８】
図２７において、「組み合わせ１」の変形例では、サーボ用領域２２以外は、鏡面となるため、光ピックアップ１０２内の第１ビームＬＢ１用の受光素子（即ち、赤色用フォトディテクター）の和信号(以下単に「ＳＵＭ信号」と呼ぶ)は、サーボ用領域２２でのみ、局所的に小さくなる。よって、ＳＵＭ信号を用いることで、トラッキングサーボに不要な領域をマスクすることが可能となる。【０２３９】
「組み合わせ２」の変形例では、サーボ用領域２２前にある緩衝領域２１（「領域２前」）と、サーボ用領域２２後ろにある緩衝領域２１(「領域２後」)とが、鏡面とされているため、これらの領域でのみ、ＳＵＭ信号が局所的に大きくなる。よって、この区間外をトラッキングサーボに不要な領域としてマスクすることが可能となる。【０２４０】
「組み合わせ３」の変形例では、サーボ用領域２２前にある緩衝領域２１（「領域２前」）のみがストレートグルーブとされているため、この領域でのみ、ＳＵＭ信号が局所的に小さくなる。よって、この領域をトラッキングサーボの助走期間と判断し、トラッキングサーボをより早く整定させることが可能となる。【０２４１】
「組み合わせ４」の変形例では、サーボ用領域２２前にある緩衝領域２１（「領域２前」）のみが鏡面とされているため、この領域のみ和信号が大きくなる。よって、この領域をトラッキングサーボの助走期間と判断し、トラッキングサーボをより早く整定させることが可能となる。【０２４２】
「組み合わせ５」の変形例では、サーボ用領域２２前にある緩衝領域２１（「領域２前」）と、サーボ用領域２２後ろにある緩衝領域２１(「領域２後」)とが、ストレートグルーブとされているため、これらの領域のＳＵＭ信号が小さくなる。このため、この区間外をトラッキングサーボに不要な領域としてマスクすることが可能となる。【０２４３】
「組み合わせ６」の変形例では、全領域にストレートグルーブがあることで、トラッキングエラー信号にて、三つの領域ごとのオフセットを生じることがない。よって、トラッキングサーボに係る回路構成を簡素化することが可能となる。【０２４４】
次に図２８は、上述した本実施例における光ディスク１１の基本的な層構成（図１及び図２参照）の変形例を示す。ここに図２８は、本変形例の光ディスクの図１と同趣旨の模式的な斜視図である。【０２４５】
図２８において、光ディスク１１の変形例では、二層のガイド層１２ａ及び１２ｂが設けられる。例えば、ガイド層１２ａのトラックＴＲ―ａに、内周から外周へ向うアドレス位置を示す第１アドレス情報を担持させる。ガイド層１２ｂのトラックＴＲ−bに、外周から内周へ向うアドレス位置を示す第２アドレス情報を担持させる。この場合更に、記録層１３についても、第１アドレス情報に従って記録される第１記録層と第２アドレス情報に従って記録される第２記録層とに使い分けをし、第１記録層に対するガイドは、ガイド層１２ａを用いて行い、第２記録層に対するガイドは、ガイド層１２ｂを用いて行う。このように構成すれば、一又は複数の第１記録層にて、内周から外周へ向って情報を記録し、一又は複数の第２記録層にて、外周から内周へ向って情報を記録する動作が、効率良くなる或いは容易となる。しかも、記録動作の信頼性及び安定性についても、二種類のアドレス情報を使い分けることによって、顕著に高められる。よって、連続して双方向に又は任意若しくは独立にて双方向に記録可能な光ディスク１１を実現可能となる。【０２４６】
例えば、記録層の１層目を内周から外周に向かって記録再生し、記録層の２層目を外周から内周に向って記録再生をすることにすれば、これら二層間で記録再生を切り替える時間は、ほぼ層間ジャンプを行うだけの時間で済むので、複数の記録層に跨るように連続して、記録再生を行う際に、極めて有利となる。言い換えれば、２層ディスクにおける所謂「Opposite 記録」或いは「Opposite再生」と同様の効果が得られる。即ち、記録するデータとして、ビデオデータ等のリアルタイムに連続したデータを本変形例の光ディスク１１を用いて、記録しておくと、再生時において、特に第１記録層の終わりから第２記録層の始まりにかけては、殆ど層間ジャンプの時間のみで到達できる。これは、図１に示した実施例の場合に、層間ジャンプと、光ピックアップ１０２の位置を、外周から内周に戻す時間が更に加算されることを考えると非常に有利である。図１に示した実施例の場合に、データを途切れなく再生するためには、多量のメモリーを記録再生装置１０１に備えればよい。【０２４７】
このように図２８の変形例を併用することで、安価に、容易に、再生装置において連続再生が可能となる。【０２４８】
以上詳細に説明したように、本実施例及び変形例によれば、トラックＴＲに沿ったサーボ用領域２２の配置間隔（配置ピッチ）を所定距離以下とし、更に、光ディスク１１の全面にサーボ用領域２２を（離散的に）配置したので、ガイド層１２の光ディスク１１の内周から外周に亘って、どの位置においても、サンプリングにより、連続したトラッキング信号を取得することができる。【０２４９】
また特に、記録層１３におけるデータフォーマットの構成単位とウォブルＷＢの１周期とを整数倍の関係とし、ウォブルＷＢの１周期の整数倍としてスロットを構成し、サーボ用領域２２をこの区間に対応させたので、隣接トラックＴＲにおけるサーボ用領域２２同士が重ならないような（即ち、ウォブル信号やプリピット信号にクロストークが発生しないような）適応配置が容易となる。このようにして得られるウォブル信号は、ＰＬＬ（Ｐｈａｓｅ  Ｌｏｃｋｅｄ  Ｌｏｏｐ）回路を介して、ロバスト性に優れたタイミング基準信号生成として、或いは、記録スタート時のタイミング信号生成として利用できる。【０２５０】
また、本発明は、請求の範囲及び明細書全体から読み取るこのできる発明の要旨又は思想に反しない範囲で適宜変更可能であり、そのような変更を伴う情報記録媒体、情報記録装置及び方法、並びに情報再生装置及び方法もまた本発明の技術思想に含まれる。
【符号の説明】
【０２５１】
１１  光ディスク
１２  ガイド層
１３  記録層
２１  緩衝領域
２２  サーボ用領域
２３  鏡面領域  
ＴＲ  トラック  
ＷＢ  ウォブル
ＬＬＰ１  ランドプリピット
ＬＢ１  第１ビーム
ＬＢ２  第２ビーム
１０２  光ピックアップ
１０２Ｌ  対物レンズ
１０１  記録再生装置  
２０１  ホストコンピュータ
【図１】
2011125158.tif 000006
【図２】
2011125158.tif 000007
【図３】
2011125158.tif 000008
【図４】
2011125158.tif 000009
【図５】
2011125158.tif 000010
【図６】
2011125158.tif 000011
【図７】
2011125158.tif 000012
【図８】
2011125158.tif 000013
【図９】
2011125158.tif 000014
【図１０】
2011125158.tif 000015
【図１１】
2011125158.tif 000016
【図１２】
2011125158.tif 000017
【図１３】
2011125158.tif 000018
【図１４】
2011125158.tif 000019
【図１５】
2011125158.tif 000020
【図１６】
2011125158.tif 000021
【図１７】
2011125158.tif 000022
【図１８】
2011125158.tif 000023
【図１９】
2011125158.tif 000024
【図２０】
2011125158.tif 000025
【図２１】
2011125158.tif 000026
【図２２】
2011125158.tif 000027
【図２３】
2011125158.tif 000028
【図２４】
2011125158.tif 000029
【図２５】
2011125158.tif 000030
【図２６】
2011125158.tif 000031
【図２７】
2011125158.tif 000032
【図２８】
2011125158.tif 000033
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
ＣＬＶ方式の情報記録媒体であって、
予めトラックが形成されたガイド層と、
該ガイド層上に積層された複数の記録層と
を備え、
前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、
前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、
前記複数のスロットは前記記録層において前記トラック方向及び前記径方向の両方についての連続するスロット内に情報が記録される区分であり、
前記グループのトラック方向の長さは前記所定距離以下の配置間隔に対応している
ことを特徴とする情報記録媒体。
【請求項２】
前記複数のスロットは、前記トラック方向の長さが相互に等しく、前記トラック方向に隙間無く配列されていることを特徴とする請求項１に記載の情報記録媒体。
【請求項３】
前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持することを特徴とする請求項１に記載の情報記録媒体。
【請求項４】
前記複数のガイド領域における前記トラック方向の前後の少なくとも一方に、鏡面又はストレートグルーブ構造を有する緩衝領域が配置されている
ことを特徴とする請求項１に記載の情報記録媒体。
【請求項５】
前記緩衝領域は、前記トラック方向に、前記複数のガイド領域の各々における先頭部の前と最後部の後ろに夫々隣接配置されている
ことを特徴とする請求項４に記載の情報記録媒体。
【請求項６】
前記物理構造は、ウォブル及びプリピット構造を含むことを特徴とする請求項１に記載の情報記録媒体。
【請求項７】
前記物理構造は、ウォブル及び一部切欠き構造を含むことを特徴とする請求項１に記載の情報記録媒体。
【請求項８】
前記グループの各々について、前記ガイド領域が配置される一つのスロットは、（ｉ）少なくとも前記記録層に対する情報記録時に前記トラックに対して照射され且つ集光される光ビームにより、前記トラック上に形成される光スポットの径と、（ｉｉ）前記トラックの前記径方向のピッチと、（ｉｉｉ）前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、（ｉｖ）前記スロットの前記トラック方向の長さとに基づいて、前記光スポット内に同時に含まれないスロットとして選定されていることを特徴とする請求項１に記載の情報記録媒体。
【請求項９】
前記トラックは、トラッキングサーボ用のガイドトラックであり、
前記物理構造は、前記ガイド情報の少なくとも一部を構成する前記トラッキングサーボ用の信号を、発生可能であり、
前記複数のガイド領域は夫々、前記トラッキングサーボ用の信号を発生するためのサーボ用領域であり、
前記所定距離は、前記トラッキングサーボが前記所定の帯域で動作可能な距離に予め設定されており、
前記複数のサーボ用領域は、前記トラッキングサーボ用の光ビームの径に基づいて、前記光ビームが同時に照射されないように前記複数のトラック間でずらされて、配置されている
ことを特徴とする請求項１に記載の情報記録媒体。
【請求項１０】
前記物理構造は、前記ガイド用のガイド情報として、前記トラック方向に沿って内周から外周又は外周から内周へ向うアドレス位置を示すアドレス情報を担持することを特徴とする請求項１に記載の情報記録媒体。
【請求項１１】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、前記複数のスロットは前記記録層において前記トラック方向及び前記径方向の両方についての連続するスロット内に情報が記録される区分であり、前記グループのトラック方向の長さは前記所定距離以下の配置間隔に対応しているところの情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得する情報取得手段と、
前記取得されたガイド情報に基づき前記トラックに対して前記所定の帯域でトラッキングサーボをかけるように前記光照射手段を制御するトラッキングサーボ手段と、
前記トラッキングサーボがかけられている際に、前記一の記録層に前記第２光ビームを照射し且つ集光することで、前記データを記録するように前記光照射手段を制御するデータ記録制御手段と
を備えることを特徴とする情報記録装置。
【請求項１２】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、前記複数のスロットは前記記録層において前記トラック方向及び前記径方向の両方についての連続するスロット内に情報が記録される区分であり、前記グループのトラック方向の長さは前記所定距離以下の配置間隔に対応しているところの情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたガイド情報を取得する情報取得工程と、
前記取得されたガイド情報に基づき前記トラックに対して前記所定の帯域でトラッキングサーボをかけるように前記光照射手段を制御するトラッキングサーボ工程と、
前記トラッキングサーボがかけられている際に、前記一の記録層に前記第２光ビームを照射し且つ集光することで、前記データを記録するように前記光照射手段を制御するデータ記録制御工程と
を備えることを特徴とする情報記録方法。
【請求項１３】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、前記複数のスロットは前記記録層において前記トラック方向及び前記径方向の両方についての連続するスロット内に情報が記録される区分であり、前記グループのトラック方向の長さは前記所定距離以下の配置間隔に対応しているところの情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得する情報取得手段と、
前記取得されたガイド情報に基づき前記トラックに対して前記所定の帯域でトラッキングサーボをかけるように前記光照射手段を制御するトラッキングサーボ手段と、
前記トラッキングサーボがかけられている際に、前記一の記録層からの前記照射され且つ集光された第２光ビームに基づく第２光を受光し、該受光された第２光に基づき前記データを取得するデータ取得手段と
を備えることを特徴とする情報再生装置。
【請求項１４】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各半径位置にて実行可能なようにずらされて、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、前記複数のスロットは前記記録層において前記トラック方向及び前記径方向の両方についての連続するスロット内に情報が記録される区分であり、前記グループのトラック方向の長さは前記所定距離以下の配置間隔に対応しているところの情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
光を受光し、該受光された第１光に基づき前記担持されたガイド情報を取得する情報取得工程と、
前記取得されたガイド情報に基づき前記トラックに対して前記所定の帯域でトラッキングサーボをかけるように前記光照射手段を制御するトラッキングサーボ工程と、
前記トラッキングサーボがかけられている際に、前記一の記録層からの前記照射され且つ集光された第２光ビームに基づく第２光を受光し、該受光された第２光に基づき前記データを取得するデータ取得工程と
を備えることを特徴とする情報再生方法。
【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
ＣＬＶ方式の情報記録媒体であって、
予めトラックが形成されたガイド層と、
該ガイド層上に積層された複数の記録層と
を備え、
前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各位置にて実行可能なようにずらされて、配置されており、
前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており、且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、
前記複数のスロットは、前記記録層において前記トラック方向及び前記径方向の両方についての連続するスロット内に情報が記録される区分であり、
前記グループの前記トラック方向の長さは、前記所定距離以下の配置間隔に対応している
ことを特徴とする情報記録媒体。
【請求項２】
前記複数のスロットは、前記トラック方向の長さが相互に等しく、前記トラック方向に隙間無く配列されていることを特徴とする請求項１に記載の情報記録媒体。
【請求項３】
前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持することを特徴とする請求項１に記載の情報記録媒体。
【請求項４】
前記複数のガイド領域における前記トラック方向の前後の少なくとも一方に、鏡面又はストレートグルーブ構造を有する緩衝領域が配置されている
ことを特徴とする請求項１に記載の情報記録媒体。
【請求項５】
前記緩衝領域は、前記トラック方向に、前記複数のガイド領域の各々における先頭部の前と最後部の後ろに夫々隣接配置されている
ことを特徴とする請求項４に記載の情報記録媒体。
【請求項６】
前記物理構造は、ウォブル及びプリピット構造を含むことを特徴とする請求項１に記載の情報記録媒体。
【請求項７】
前記物理構造は、ウォブル及び一部切欠き構造を含むことを特徴とする請求項１に記載の情報記録媒体。
【請求項８】
前記グループの各々について、前記ガイド領域が配置される一つのスロットは、(i)少なくとも前記記録層に対する情報記録時に前記トラックに対して照射され且つ集光される光ビームにより、前記トラック上に形成される光スポットの径と、(ii)前記トラックの前記径方向のピッチと、(iii)前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、(iv)前記スロットの前記トラック方向の長さとに基づいて、前記光スポット内に同時に含まれないスロットとして選定されていることを特徴とする請求項１に記載の情報記録媒体。
【請求項９】
前記トラックは、トラッキングサーボ用のガイドトラックであり、
前記物理構造は、前記ガイド情報の少なくとも一部を構成する前記トラッキングサーボ用の信号を、発生可能であり、
前記複数のガイド領域は夫々、前記トラッキングサーボ用の信号を発生するためのサーボ用領域であり、
前記所定距離は、前記トラッキングサーボが前記所定の帯域で動作可能な距離に予め設定されており、
前記複数のサーボ用領域は、前記トラッキングサーボ用の光ビームの径に基づいて、前記光ビームが同時に照射されないように前記複数のトラック間でずらされて、配置されている
ことを特徴とする請求項１に記載の情報記録媒体。
【請求項１０】
前記物理構造は、前記ガイド用のガイド情報として、前記トラック方向に沿って内周から外周又は外周から内周へ向うアドレス位置を示すアドレス情報を担持することを特徴とする請求項１に記載の情報記録媒体。
【請求項１１】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各位置にて実行可能なようにずらされて、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており、且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、前記複数のスロットは、前記記録層において前記トラック方向及び前記径方向の両方についての連続するスロット内に情報が記録される区分であり、前記グループの前記トラック方向の長さは、前記所定距離以下の配置間隔に対応している情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得する情報取得手段と、
前記取得されたガイド情報に基づき前記トラックに対して前記所定の帯域でトラッキングサーボをかけるように前記光照射手段を制御するトラッキングサーボ手段と、
前記トラッキングサーボがかけられている際に、前記一の記録層に前記第２光ビームを照射し且つ集光することで、前記データを記録するように前記光照射手段を制御するデータ記録制御手段と
を備えることを特徴とする情報記録装置。
【請求項１２】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各位置にて実行可能なようにずらされて、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており、且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、前記複数のスロットは、前記記録層において前記トラック方向及び前記径方向の両方についての連続するスロット内に情報が記録される区分であり、前記グループの前記トラック方向の長さは、前記所定距離以下の配置間隔に対応している情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたガイド情報を取得する情報取得工程と、
前記取得されたガイド情報に基づき前記トラックに対して前記所定の帯域でトラッキングサーボをかけるように前記光照射手段を制御するトラッキングサーボ工程と、
前記トラッキングサーボがかけられている際に、前記一の記録層に前記第２光ビームを照射し且つ集光することで、前記データを記録するように前記光照射手段を制御するデータ記録制御工程と
を備えることを特徴とする情報記録方法。
【請求項１３】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各位置にて実行可能なようにずらされて、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており、且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、前記複数のスロットは、前記記録層において前記トラック方向及び前記径方向の両方についての連続するスロット内に情報が記録される区分であり、前記グループの前記トラック方向の長さは、前記所定距離以下の配置間隔に対応している情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたガイド情報を取得する情報取得手段と、
前記取得されたガイド情報に基づき前記トラックに対して前記所定の帯域でトラッキングサーボをかけるように前記光照射手段を制御するトラッキングサーボ手段と、
前記トラッキングサーボがかけられている際に、前記一の記録層からの前記照射され且つ集光された第２光ビームに基づく第２光を受光し、該受光された第２光に基づき前記データを取得するデータ取得手段と
を備えることを特徴とする情報再生装置。
【請求項１４】
ＣＬＶ方式の情報記録媒体であって、予めトラックが形成されたガイド層と、該ガイド層上に積層された複数の記録層とを備え、前記トラックには、ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間で、前記ＣＬＶ方式であることを前提として所定の帯域でのガイド動作が前記径方向の各位置にて実行可能なようにずらされて、配置されており、前記複数のガイド領域は、（ｉ）前記トラックが前記トラック方向に区分されてなる複数のスロットのうち、前記トラック方向に相隣接しておらず且つ前記径方向に前記複数のトラックに渡って相隣接していない一部の複数のスロット内に、配置されており、且つ（ｉｉ）前記複数のスロットのうち前記トラック方向に沿って並んでいる複数のスロットから各々構成されるグループ毎に、該グループに含まれる一つのスロット内に配置されると共に該グループに含まれる他のスロット内に配置されておらず、前記複数のスロットは、前記記録層において前記トラック方向及び前記径方向の両方についての連続するスロット内に情報が記録される区分であり、前記グループの前記トラック方向の長さは、前記所定距離以下の配置間隔に対応している情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記担持されたガイド情報を取得する情報取得工程と、
前記取得されたガイド情報に基づき前記トラックに対して前記所定の帯域でトラッキングサーボをかけるように前記光照射手段を制御するトラッキングサーボ工程と、
前記トラッキングサーボがかけられている際に、前記一の記録層からの前記照射され且つ集光された第２光ビームに基づく第２光を受光し、該受光された第２光に基づき前記データを取得するデータ取得工程と
を備えることを特徴とする情報再生方法。
【国際調査報告】
2011125158.tif 000034
2011125158.tif 000035